(57)【特許請求の範囲】
【請求項１】
前面側が開放した箱型の本体ケースと、該本体ケースの前面側に開閉可能に軸着された前面枠と、を備え、
前記本体ケースには、貯留タンクに貯留された遊技球を排出する賞球排出ユニットを配設し、前記前面枠の裏面側には、前記賞球排出ユニットから排出される遊技球を当該前面枠の前面側に設けた上皿若しくは下皿に排出する賞球導出樋を配設した遊技装置において、
前記賞球排出ユニットは、
前記貯留タンクからの遊技球を所定数排出する賞球排出装置と、
前記賞球排出装置により排出された遊技球を前記賞球導出樋へ誘導するための賞球排出路と、
前記賞球排出路と連通する流下制御樋と、を備え、
前記賞球導出樋は、
前記流下制御樋からの遊技球を受入れる遊技球流入口と、
前記遊技球流入口から流入した遊技球を前記上皿に排出する上側排出口と、
前記上側排出口から前記上皿に排出する遊技球が溢れた際に、該溢れた遊技球を前記下皿に排出する下側排出口と、を有し、
前記流下制御樋には、
当該流下制御樋の内部通路を開状態と閉状態とに変換させる通路開閉装置を設け、
前記通路開閉装置は、
前記流下制御樋の内部通路の前後壁部に形成されるスリット孔を横切る方向に進退自在に配設されるとともに、前後方向に略長方形状に形成された前半部に遊技球の流下用開口部を、後半部に閉塞板部を、それぞれ有する開閉部材と、
前記開閉部材を前記流下制御樋の前方に付勢するスプリングと、を有し、
前記賞球導出樋の遊技球流入口の上部に当接部を設け、前記本体ケースに対して前記前面枠が閉められた状態においては、前記当接部が前記開閉部材の先端部を押して後退させることにより、該開閉部材の前記流下用開口部が前記流下制御樋の内部通路中に至って、当該内部通路中の遊技球を流下可能にする一方、
前記本体ケースに対して前記前面枠が開放された状態においては、前記スプリングの付勢力によって前記開閉部材が突出する方向に前進させられることにより、該開閉部材の前記閉塞板部が前記流下制御樋の内部通路中に至って、当該内部通路中の遊技球を流下させないようにすることを特徴とする遊技装置。
【発明の詳細な説明】
【０００１】
【発明の属する技術分野】
本発明は、前面側が開放した箱型の本体ケースと、該本体ケースの前面側に開閉可能に軸着された前面枠と、を備え、本体ケースには、貯留タンクに貯留された遊技球を排出する賞球排出ユニットを配設し、前面枠の裏面側には、賞球排出ユニットから排出される遊技球を当該前面枠の前面側に設けた上皿若しくは下皿に排出する賞球導出樋を配設した遊技装置に関する。
【０００２】
【従来の技術】
従来の遊技装置においては、遊技球を貯留する貯留タンクと所定数の遊技球を遊技者へ払出すための賞球排出ユニットが本体ケースに配設され、賞球排出ユニットからの賞球を前面枠に設けられている受皿に誘導するための樋が前面枠の裏面側に配設されていた。
【０００３】
【発明が解決しようとする課題】
しかしながら、従来の遊技装置では、遊技球の払出しを行なっている最中に前面枠が開放されると、賞球排出ユニットから受皿に誘導するための樋が分離してしまい、せっかく払出しされた遊技球が本体ケースと前面枠の間にこぼれてしまうという問題点があった。
本発明は上記課題を解決するためになされたもので、その目的は、遊技球の払出しを行なっている最中に前面枠が開放されても、賞球排出ユニットから遊技球が流下することなく、払出された遊技球が本体ケースと前面枠の間にこぼれてしまうという事態を解決することができる遊技装置を提供することを目的とする。
【０００４】
【課題を解決するための手段】
上記課題を解決するため、
請求項１に係る発明は、前面側が開放した箱型の本体ケースと、該本体ケースの前面側に開閉可能に軸着された前面枠と、を備え、
前記本体ケースには、貯留タンクに貯留された遊技球を排出する賞球排出ユニットを配設し、前記前面枠の裏面側には、前記賞球排出ユニットから排出される遊技球を当該前面枠の前面側に設けた上皿若しくは下皿に排出する賞球導出樋を配設した遊技装置において、
前記賞球排出ユニットは、
前記貯留タンクからの遊技球を所定数排出する賞球排出装置と、
前記賞球排出装置により排出された遊技球を前記賞球導出樋へ誘導するための賞球排出路と、
前記賞球排出路と連通する流下制御樋と、を備え、
前記賞球導出樋は、
前記流下制御樋からの遊技球を受入れる遊技球流入口と、
前記遊技球流入口から流入した遊技球を前記上皿に排出する上側排出口と、
前記上側排出口から前記上皿に排出する遊技球が溢れた際に、該溢れた遊技球を前記下皿に排出する下側排出口と、を有し、
前記流下制御樋には、
当該流下制御樋の内部通路を開状態と閉状態とに変換させる通路開閉装置を設け、
前記通路開閉装置は、
前記流下制御樋の内部通路の前後壁部に形成されるスリット孔を横切る方向に進退自在に配設されるとともに、前後方向に略長方形状に形成された前半部に遊技球の流下用開口部を、後半部に閉塞板部を、それぞれ有する開閉部材と、
前記開閉部材を前記流下制御樋の前方に付勢するスプリングと、を有し、
前記賞球導出樋の遊技球流入口の上部に当接部を設け、前記本体ケースに対して前記前面枠が閉められた状態においては、前記当接部が前記開閉部材の先端部を押して後退させることにより、該開閉部材の前記流下用開口部が前記流下制御樋の内部通路中に至って、当該内部通路中の遊技球を流下可能にする一方、
前記本体ケースに対して前記前面枠が開放された状態においては、前記スプリングの付勢力によって前記開閉部材が突出する方向に前進させられることにより、該開閉部材の前記閉塞板部が前記流下制御樋の内部通路中に至って、当該内部通路中の遊技球を流下させないようにすることを特徴とする。
【０００５】
本発明によれば、賞球排出ユニットは、貯留タンクからの遊技球を所定数排出する賞球排出装置と、賞球排出装置により排出された遊技球を賞球導出樋へ誘導するための賞球排出路と、賞球排出路と連通する流下制御樋と、を備え、賞球導出樋は、流下制御樋からの遊技球を受入れる遊技球流入口と、遊技球流入口から流入した遊技球を上皿に排出する上側排出口と、上側排出口から上皿に排出する遊技球が溢れた際に、該溢れた遊技球を下皿に排出する下側排出口と、を有し、流下制御樋には、当該流下制御樋の内部通路を開状態と閉状態とに変換させる通路開閉装置を設け、通路開閉装置は、流下制御樋の内部通路の前後壁部に形成されるスリット孔を横切る方向に進退自在に配設されるとともに、前後方向に略長方形状に形成された前半部に遊技球の流下用開口部を、後半部に閉塞板部を、それぞれ有する開閉部材と、開閉部材を流下制御樋の前方に付勢するスプリングと、を有し、賞球導出樋の遊技球流入口の上部に当接部を設け、本体ケースに対して前面枠が閉められた状態においては、当接部が開閉部材の先端部を押して後退させることにより、該開閉部材の流下用開口部が流下制御樋の内部通路中に至って、当該内部通路中の遊技球を流下可能にする一方、本体ケースに対して前面枠が開放された状態においては、スプリングの付勢力によって開閉部材が突出する方向に前進させられることにより、該開閉部材の閉塞板部が流下制御樋の内部通路中に至って、当該内部通路中の遊技球を流下させないようにするので、前面枠が開放されても遊技球がこぼれてしまうという事態を防止できる。
【０００６】
【発明の実施の形態】
（第１の実施の形態）
図１はこの発明の実施例に係る遊技装置１の前面側全体斜視図、図２はその正面図、図３はその前面枠１００の背面側斜視図、図４はその背面図、図５は本体ケース２００の前面側斜視図、図６はその正面図である。
この遊技装置１は、その後側外形を構成する基枠としての本体ケース２００と、該本体ケース（基枠）２００の前側開口部にヒンジ部材としてのヒンジ１９０，１９０（図３）を介して開閉可能に取り付けられた前面枠１００とを備えている。そして、その前面枠１００は、その裏側が、矩形に組まれた金属製の補強枠１３０によって補強されている。その補強枠１３０は、強度を考慮してコ字形断面形状に作られている。
【０００７】
前記本体ケース２００は天板２０５、底板２０６および左右の側板２０７，２０８により構成される包囲枠部２００ａと、背面板２０９とにより、上下左右および背面部が囲まれた箱型ケースとして構成されている。
前記前面枠１００の前面側上部には遊技部を構成するパネル表示部１０が設けられている。
このパネル表示部１０の中央には遊技部を構成する可変表示部としての３つの可変表示窓１０ｂ，１０ｃ，１０ｄが設けられ、各可変表示窓１０ｂ，１０ｃ，１０ｄには上、中、下段に１つずつ、合計３つずつ表示が現出されるようになっている。
【０００８】
パネル表示部１０内の左方には賭け数表示部１１（１１ａ〜１１ｅ）が設けられ、各賭け数表示部１１（１１ａ〜１１ｅ）には「５」，「１０」，「１５」の賭け数（図示省略）が表示され、賭け数がセットされたときにそれら各賭け数表示部１１（１１ａ〜１１ｅ）がその賭け数に対応して点灯するようになっている。また賭け数表示部１１（１１ａ〜１１ｅ）に表示された賭け数に対応する組合せ表示ラインａ〜ｃ（図２）が設けられている。
また、中段の組合せ表示ラインａ〜ａの右端にはボーナスゲーム（後述）時に点灯するボーナスゲーム表示部１０ｒが設けられ、各可変表示窓１０ｂ，１０ｃ，１０ｄの下部にはストップ操作可能時に点灯するストップ表示部１０ｇ，１０ｈ，１０ｉが設置されている。
【０００９】
パネル表示部１０の上部中央にはゲーム等に関する各種情報を表示する情報表示部１０ａが設けられている。そして、その斜め左上側にはビッグチャンス時に点灯するビッグチャンス表示部１０ｅが、右端には役に応じた賞球数を表示したスコア表示部１０ｆが設けられている。パネル表示部１０の右側下部には、クレジット数を表示するクレジット数表示部１０ｓが設けられている。
【００１０】
前面枠１００の前面側上端寄りには大役物（ビッグゲーム、ボーナスゲーム）の確定時に点滅する大役物発生表示部２０が設けられ、前面側周囲をコ字状に囲むように装飾枠３０が取り付けられている。
前面枠１００の前面側中段部の操作部１１５前面側の左寄りには回収球抜きスイッチ操作棒（図示省略）を通す回収球抜き用孔３７（図３）が設けられている。
同操作部１１５前面側の中央には各可変表示窓１０ｂ，１０ｃ，１０ｄ中の可変表示ドラム（後述）をストップさせるためのストップボタン２２ａ，２２ｂ，２２ｃが押圧操作自在に設けられている。そして、その左側には、可変表示ゲームの開始（内部の可変表示ドラム（後述）の回転開始）操作を行うためのスタート装置９０、賭け数をセットするための取込ボタン２４ａ、および精算／完了ボタン２９ａがそれぞれ外部操作自在に設けられている。また、その右側にはオート／マニュアル切換ボタン２８ａが外部操作自在に設けられている。前記スタート装置９０先端部のスタート操作用把手９４内にはスタートランプ（後述）が設置されている。
【００１１】
前面枠１００の前面側下段部の上側寄りには賞球排出口６３ａから排出された賞球を貯留しながら取込口２６（図２）方向に導く上皿（供給皿、受皿、投入部）７１が設けられ、その右側寄り上部には上皿７１中の球が不足したときに点滅する取込球不足表示ランプ６４が設置されている。また、この上皿７１の右方には錠穴３３が設けられている。
前面枠１００の前面側下段部の下側には前記上皿７１から溢れた賞品球を賞球排出口８５ａを介して導いて貯留する下皿（受皿）８０が設けられている。この下皿８０の左側には灰皿８２が設けられ、下皿８０の下部には球抜きレバー８８の操作により開閉される球抜き孔８１が設けられている。
【００１２】
また、本体ケース２００内の下側右寄り部には前面枠１００の開閉状態を検出する前面枠開閉検出器３４（図５）が取り付けられている。
前記本体ケース２００内の中段には棚板３６（図５）が懸け渡され、該棚板３６上に可変表示ゲームを行なわせる可変表示ドラム装置６００が設置されている。
また、本体ケース２００内の上段には賞球用の球を貯留するメインタンク（貯留タンク）４１０、サブタンク（貯留タンク）４２０および賞球排出樋４３０が順次連通した状態で設置され、賞球排出樋４３０の下流側端部には賞球排出ユニット４５０が取り付けられている。そして、前記メインタンク４１０直上の、本体ケース２００の天板２０５には該メインタンク４１０中に球補給を行なうための補給用開口部２０１（図５）が設けられている。また、この本体ケース２００の左右の側板２０７，２０８の上部には、遊技装置１を運搬する際の手掛用孔２０３，２０３が設けられている。また、前記賞球排出樋４３０中の下流側には２条の球通路（図示省略）が設けられ、前記賞球排出ユニット４５０には賞球排出制御装置４７０が取り付けられている。
【００１３】
本体ケース２００内の左寄りには球抜き樋５５０が設置され、下段右側には、取込球を回収する回収樋９４０、遊技装置１の制御を行なうメイン制御装置２５０および該メイン制御装置２５０に電気を供給する電源装置３７０が設置されている。
この電源装置３７０には図６に示すようにメインヒューズ３７１、パネルヒューズ３７２，ＤＩＳヒューズ３７３、排出ヒューズ３７４、制御ヒューズ３７５、確率設定キー３７６および確率設定ボタン３７７が取り付けられている。この電源装置３７０の手前側には前面枠開閉検出スイッチ３４が設置されている。
本体ケース２００内のメインタンク（貯留タンク）４１０に隣接した位置には、図６に示すように、接続端子基盤４０６が設置されている。また、この本体ケース２００内の左側上部にはスピーカ２６０が取り付けられ、右側上部には排出個数表示器２９１および取込個数表示器２９２を有するカウンター装置２９０が設置されている。
【００１４】
前面枠１００裏側の上段側には液晶表示制御基盤としての液晶テレビ制御基盤（以下、液晶パネル制御基盤と称す。）７５０が、また、その下段右側下部には中継基盤９３０が、それぞれ、設置されている。また、同下段左側には中継基盤９１０、および取込とスイッチ類の制御装置９２０が設置されている。
【００１５】
前面枠１００裏側の中段の右側と左側には、それぞれ前記賭け数表示部１１やボーナスゲーム表示部１０ｒ中のランプ（後述）を点灯又は点滅させる賭数表示ユニット７６０、およびクレジット数表示装置７７０が設置されている。また前記ストップボタン２２ａ，２２ｂ，２２ｃ、精算／完了ボタン２９ａ、および回収球抜き用穴３７と対応する裏側位置には、それぞれストップスイッチ４２，４３，４４、精算／完了スイッチ２９および回収球抜きスイッチ８２０（図４）が設置されている。
前面枠１００裏側の下段側には前記上皿（供給皿）７１から球を取り入れて前記本体ケース２００の回収樋９４０を介して島設備（図示省略）内に回収させる球取込装置ユニット３００および前記本体ケース２００側の賞球排出ユニット４５０の賞球排出樋（後述）から排出される賞球を前面枠１００前面の上皿７１および下皿８０中に導出させる賞球導出樋５００が設置されている。
【００１６】
この賞球導出樋５００は前記賞球排出ユニット４５０の賞球排出樋（後述）から排出された球を前記上皿７１および下皿８０中に導くもので、その上流側は前記上皿７１への賞球排出口６３ａと連通し、下端部は前記下皿８０への賞球排出口８５ａと連通している。
前記球取込装置ユニット３００は球導入樋（後述）を備え、該球導入樋の上流部は前記取込口２６を介して前記上皿７１の下流部と連通している。そして、その下流側は戻し通路（後述）と回収通路（後述）とに分岐し、その戻し通路は賞球排出口８５ａを介して下皿８０と連通し、回収通路の下流側開口端は前記本体ケース２００下部の回収樋９４０の直上に至っている。
【００１７】
この遊技装置１は、上記のように概略構成されていて、メイン制御装置２５０、液晶パネル制御基盤７５０および取込とスイッチ類の制御装置９２０、その他機械的、電気的構成によって次のような遊技動作を行なうようになっている。
【００１８】
先ず、電源装置３７０の電源が投入された遊技前の状態においては、可変表示窓１０ｂ，１０ｃ，１０ｄ中の可変表示（可変表示ドラム（後述）の回転に基づく可変表示）は停止していて、賭け数表示部１１中のランプ、操作用把手９４中のスタートランプ、ストップ表示部１０ｇ，１０ｈ，１０ｊ中のランプ、ボーナスゲーム表示部１０ｒ中のランプ、ビッグチャンス表示部１０ｅ中のランプ、大役物発生表示部２０中のランプは全て消灯している。そして、液晶テレビ制御基盤７５０の制御により情報表示部１０ａへのメッセージ表示が開始され、可変表示窓１０ｂ，１０ｃ，１０ｄ中のランプ、スコア表示部１０ｆ中のランプが点灯した状態となる。
【００１９】
そして、遊技は次のようにして行なわれる。
先ず、上皿７１中に遊技球（図示省略）を入れると、その遊技球が取込口２６を介して球取込装置３００の導入樋（後述）中に流入する。そして、取込ボタン２４ａ中のランプが点滅するとともに、情報表示部１０ａには、“取込みボタンとイッチを押して下さい。”の表示と“オートを希望するときにはオート／マニュアル切換ボタンを押して下さい。”の表示がなされる。この状態で、球の取込みをマニュアル或いはオートのいずれにするかを遊技者が決め、マニュアルを希望する場合はオート／マニュアル切換ボタン２８ａを押さなくて良いが、オートを希望する場合にはそのオート／マニュアル切換ボタン２８ａを押す。その結果、マニュアルを選択したときには、取込ボタン２４ａを押すごとに、取込音が発せられて、上皿７１から実球が取込口２６を介して一定個数（例えば、５個）ずつ取り込まれ得る状態となる。が、オートを選択したときには、上皿７１から、予め実球が取込口２６を介して所定個数（例えば、２５０個）の範囲内でクレジットとして取り込まれる。その取り込まれた球数がメイン制御装置２５０の記憶部に記憶され（クレジットに入れられ）その記憶数（クレジット数）がクレジット数表示部１０Ｓに数字表示される。そして、取込ボタン２４ａが押されるごとに、その記憶数の中から５個ずつ取り込まれ得る状態となる。
【００２０】
この状態で、遊技者が希望する賭け数（例えば、５個単位で、５個、１０個、１５個）分に対応した回数（賭け数５個につき１回）だけ取込ボタン２４ａを押すと、その押した回数に対応した賭け数（例えば、５個単位）の球が、マニュアルのときには実球で上皿７１の中から、オートのときには記憶（クレジット）の中から、それぞれ取り込まれる。そして、その取込みの終了後に、スタート操作用把手９４中のランプが点灯する。クレジットの中から取り込まれたときには、メイン制御装置２５０のクレジットの記憶数がその取り込まれた分だけ減算され、その減算後のクレジット数がクレジット表示部１０Ｓに数字表示される。そして、そのいずれの場合にも、その賭け数に対応した賭け数表示部１１（１１ａ〜１１ｅ）が点灯され、情報表示部１０ａに“スタート操作をしてください”の表示がなされる。
【００２１】
この状態で、遊技者がスタート操作用把手９４を握ってスタート装置９０を操作すると、スピーカからスタート音が発せられてスタート操作用把手９４中のスタートランプ（後述）が消灯する。そして、内部の３つの可変表示ドラム（後述）がそれぞれ異なった速度での回転を開始して回転音が発せられ、それに伴って可変表示窓１０ｂ，１０ｃ，１０ｄ中の表示の変化が開始される。その開始のときから所定時間経過すると、ストップ表示部１０ｇ，１０ｈ，１０ｉ中のランプが点灯し、さらに所定時間が経過すると、左、中、右の順に可変表示ドラム（後述）が停止されて可変表示窓１０ｂ，１０ｃ，１０ｄ中の表示が確定される。ただし、その所定時間の経過前であっても、一定時間が経過して情報表示部１０ａに“ストップスイッチを押して下さい。”の表示が現われ、かつ、ストップ表示部１０ｇ，１０ｈ，１０ｉ中のランプが点灯してストップボタン２２ａ，２２ｂ，２２ｃの操作が可能となってから、遊技者によってストップボタン（２２ａ，２２ｂ，２２ｃ）が押圧操作されると、スピーカ２６０からストップ音が発せられてその押圧操作されたストップボタン（２２ａ，２２ｂ，２２ｃ）上の可変表示窓（１０ｂ，１０ｃ，１０ｄ）中の可変表示ドラムの回転が停止され、その結果、その可変表示窓（１０ｂ，１０ｃ，１０ｄ）中の表示の変化が停止されて確定する。そのストップボタン（２２ａ，２２ｂ，２２ｃ）の押す順序はいずれの順に行なってもよい。いずれの場合も、可変表示窓（１０ｂ，１０ｃ，１０ｄ）中の表示の変化が停止されると、その停止ごとに対応するストップ表示部（１０ｇ，１０ｈ，１０ｉ）中のランプが消灯される。
【００２２】
遊技者が上記操作を繰り返すことによって次々とゲームが行なわれるが、そのゲームの結果、停止時における可変表示窓１０ｂ，１０ｃ，１０ｄ中の表示の組合せ（そのゲームの開始時に遊技者が取込スイッチ２４ａを押圧操作することによって指定された組合せ表示ライン（ａ〜ｃ）に沿った表示の組合わせに限る。）がスコア表示部１０ｆに表示された賞態様（役）のいずれかと一致すると、賞態様成立表示としてその成立した組合せ表示ライン（ａ〜ｃのいずれか）を示す賭け数表示部（１１ａ〜１１ｅ）が点滅され、マニュアルのときには、その賞態様（役）に応じた数の賞球が実球で上皿７１又は下皿８０中に排出される。なお、オートでクレジットの記憶個数が所定個数（例えば、２５０個）に達していないときには、クレジットの記憶個数の加算として与えられてその加算後の記憶個数がクレジット表示部１０ｒに表示される。２つ以上の賞態様（役）に該当したときには、各賞態様（役）に対する賞球数を合算した合計数の賞球が与えられる。賞球の排出時にはスピーカ２６０から賞球排出音が発せられる。
【００２３】
オートの場合で、そのゲーム直前の貯留記憶個数が一定個数（例えば、２５０個）を超えるときには、その一定個数を超える分の賞球が賞球排出口６３ａ（又は８５ａ）を介して上皿７１（又は下皿８０）中に放出されて貯留数記憶（クレジット数記憶）およびクレジット数表示部１０ｓのクレジット数表示が一定個数（例えば、２５０個）まで戻される。
【００２４】
そのゲームの結果、特に、可変表示窓１０ｂ，１０ｃ，１０ｄ中の表示の組合せが“ビッグチャンス”を発生させる表示の組合せ（この実施の形態では、「７，７，７」の組合せ）となったときには、“ビッグチャンス”が発生してビッグチャンス表示部１０ｅ中のランプが点灯される。と同時に、“ビッグチャンス”の発生を知らせる効果音が発せられて所定数（例えば、９０個）の賞球排出が行なわれ、しかる後、次のような“ビッグチャンスゲーム”に移行される。このビッグチャンスの発生時には情報表示部１０ａに、“ビッグチャンスおめでとうございます。”の表示と、ボーナスゲームの発生し得る回数（ボーナスゲームの残りの回数）、例えば「ボーナスゲームの残り３」の表示がなされる。
【００２５】
この場合のビッグチャンスゲームは多くの賞球獲得のチャンスを与える特別ゲーム状態を作り出すゲームで、この実施の形態では、３つのボーナスゲーム発生のチャンスが与えられる。ここに、ボーナスゲームはそのビッグチャンスのゲーム期間中に、例えば、中央の入賞ラインａ〜ａ上に“寿”の文字が３つ並ぶことにより発生されるゲームである。このボーナスゲームが発生したときには、ボーナスゲーム表示部１０ｒが点灯されて、１ゲームにつき賭け数が１単位（この実施の形態では５個）掛けとなり、各可変表示ドラム（後述）ごとの個別的ゲームを所定回数（例えば、最高１２ゲームまでで、その１２ゲーム以内に当りが６回でたときにはその時点まで。）行うチャンスが与えられる。
【００２６】
このボーナスゲームの具体例としては、取込ボタン２４ａの操作により１単位（この実施の形態では、５個）の掛け球を取り込ませてから、スタート装置９０を操作すると、可変表示窓１０ｂ，１０ｃ，１０ｄ中の３つの可変表示ドラムが回転して各可変表示ドラム（後述）ごとの個別的可変表示ゲームが開始される。そして、最初の個別的可変表示ゲームは、左の可変表示窓１０ｂ中の可変表示ドラムによって行われ、該可変表示ドラムはその回転開始時から所定時間が経過するか、又は、ストップボタン２２ａが押された時点で停止される。その停止結果として、中央の組合せ表示ラインａ〜ａ上の停止表示が特定の表示、例えば、“寿”の文字表示であれば当りで“７５個”の賞球が与えられるが、それ以外の表示のときには外れとなる。続いて行なわれる２番目の個別的可変表示ゲームは中央の可変表示窓１１Ｂ内の回転中の可変表示ドラムによって行われる。即ち、取込ボタン２４ａを操作して１単位（この実施の形態では、５個）の掛け球を取り込ませると、中央の可変表示窓１０ｃ中の可変表示ドラムがその取込時から所定時間経過するか、又は、ストップボタン２２ｂが押された時点で停止される。その停止結果としての当りの態様と賞球数は左の可変表示ドラムでのゲームのときと同様である。続いて行なわれる３番目の個別的可変表示ゲームは右の可変表示窓１０ｄ内の回転中の可変表示ドラムによって、前記２番目の個別的可変表示ゲームのときと同様にして行われる。そして、そのゲーム結果としての当りの態様および賞球数は前記１番目と２番目の個別的可変表示ゲームのときと同様である。４番目〜６番目、７番目〜９番目、および１０番目〜１２番目の個別的可変表示ゲームは前記１番目〜３番目の可変表示ゲームのときと同様である。
【００２７】
このビッグチャンスのゲーム中、上記ボーナスゲーム以外のゲームにおいても小役（個別ゲームの当り）の発生確率がアップされて賞球獲得のチャンスが増加される。
このビッグチャンスのゲームは“ビッグチャンス”発生のときから３回のボーナスゲームが行われるか、或いは３０回のゲーム（個別的ゲームは回数に入れない。）が行われるまで継続され、３回のボーナスゲームが行われるか、或いは３０回のゲーム（個別的ゲームは回数に入れない。）が行われるまで継続され、３回のボーナスゲーム又は３０回のゲームが行われた時点で終了されてゲームが完了され、その完了時点でゲーム不能な状態となる。
【００２８】
ビッグチャンスのゲーム時にボーナスゲームが発生すると、その発生ごとに、前記情報表示部１０ａに表示されているボーナスゲームの残り回数が減じられる。
また、上記ゲームの結果、可変表示窓１０ｂ，１０ｃ，１０ｄ中の表示の組合せが“レギュラーボーナス”を発生させる表示の組合せ（この実施の形態では、有効な組合せ表示ライン上に“かぶとの絵”が３つ並んだり、“富士山の絵”が３つ並んだりしたとき等）となったときには、“レギュラーボーナス”が発生して上記“ビッグチャンス”時のボーナスゲームが１回行われる。そして、その後は通常の可変表示ゲームに戻される。
【００２９】
また、上記の可変表示ゲームの結果、可変表示窓１０ｂ，１０ｃ，１０ｄ中の表示の組合せが“小役”の組合せ（この実施の形態では、“鶴の絵”が有効表示ライン上に３つ並んだり、左と中央の可変表示窓１０ｂ，１０ｃの有効表示ライン上に“鼓の絵”が２つ並んだとき等）となったときには“小役”が発生して、その発生した小役に対応した賞球が与えられる。
【００３０】
上記ビッグチャンスが発生したときには、その発生時から取込ボタン２４ａが押圧操作されるまでの期間中、ビッグチャンス音が発せられる。また、ボーナスゲームの発生時にはボーナスゲームの発生音が発せられ、ボーナスゲーム中にはボーナスゲーム中であることを知らせるボーナスゲーム音が発せられる。また、ビッグチャンスの完了時には、完了音が一定時間発せられるとともに、情報表示部１０ａに“おつかれさまでした。ゲーム終了です。”の表示がなされる。また、エラーのときには、エラー音が発せられるとともに、情報表示部１０ａに“係員をおよび下さい”の表示がなされる。
【００３１】
また、可変表示ゲーム中、２つの可変表示が停止した時点で、例えば、可変表示窓１０ｂ，１０ｃ，１０ｄの有効ライン上に「７」が２つ揃ってビッグチャンスを発生させ得るリーチ状態が生じたときには、そのリーチを知らせる表示が情報表示部１０ａになされるとともに、効果音が発せられる。
【００３２】
上記ゲームの進行に応じて、情報表示部１０ａには、例えば、上記したようなゲームの進行や賞球表示等の各種情報が表示される。
【００３３】
なお、上記オート設定以後は、各ゲームごとに、そのセットされた賭け数（この実施の形態では４５個）にて球が取り込まれ、スタート装置９０の操作のみでゲームが開始されることとなる。このオート状態を解除したいときには遊技者がもう一度オート／マニュアル切換ボタン２８ａを押せば、そのランプが消灯されてオート状態が解除される。
【００３４】
また、遊技者が精算したいときには精算／完了ボタン２９ａを押せば、上皿７１中の球（クレジット中の球があればその球も）が賞球排出口６３ａを介して下皿８０中に回収されるようになる。
【００３５】
さらに、その下皿８０中の球を球箱（図示省略）中に回収したいときには、下皿８０の下側の球抜きレバー８８を操作して球抜き孔８１を開放させれば、下皿８０中の球がその球箱中に回収されることとなる。
【００３６】
前記情報表示部１０ａの表示としては、例えば、普通表示（ゲーム説明）、オート／マニュアル表示、取込数表示、操作手順表示、クレジット数表示、賞球表示（賞球数含む。）、ビッグチャンス・レギュラーボーナス表示、精算・完了時球数表示等がなされる。
そして、前記普通表示（ゲーム説明）としては、例えば、情報表示部１０ａの画面全体に“いらっしゃいませ。当パーラーへようこそいらっしゃいました。”“私は〜です。上皿へ球を入れてオート／マニュアル切換スイッチを選択し、スタートスイッチを押してください。”、“次の操作説明をします。”等の表示の他、各ボーナスゲーム時の操作説明等の表示がなされる。
【００３７】
前記オート／マニュアル表示としては、例えば、選択されたオート／マニュアルの表示が１度情報表示部１０ａの画面全体になされてから、その表示がその画面の左隅又は右隅に移されて小さく表示される。
前記取込数表示（クレジットを含む。）としては、マニュアルのときには“何個取込中”であるかの表示や“取込終了”の表示等がなされる。オートのときには、例えば、クレジットの個数表示が１度情報表示部１０ａの画面全体になされてから左隅又は右隅のオート又はマニュアルの表示の隣に小さくなされる。
前記操作手順表示としては、例えば、上記普通表示の欄で表示した様なメッセージが右隅に残されて、次はどうしたら良いかの説明が表示される。
前記賞球表示（賞球数を含む。）としては、各役に対する賞球排出後に、何の役で何個排出したかが表示される。クレジットの場合は、例えば、クレジット数表示部１０ｓにその賞球数を加算した表示がなされる。
【００３８】
前記ビッグチャンス・レギュラーボーナス表示としては、ビッグチャンス時に、情報表示部１０ａの画面全体にビッグチャンスのゲームがスタートしたことを示す表示がされ、次に“？個投入して「寿、寿、寿、」で止めて下さい。”というようなゲームの進行手順の説明表示や賞球数の表示等が行なわれたりする。
【００３９】
前記精算・完了時の球数表示としては、ゲームの完了時に、情報表示部１０ａの画面全体に、例えば、“この機械は完了しました。これから精算致します。払出個数は？個です。リセットして下さい。”等の表示がなされる。
前面枠１００を開けたいときには、前面枠１００の錠穴３３中に鍵（図示省略）を差し込んで内部の施錠装置（後述）の鍵を時計方向に回転させると、解錠されて前面枠１００が開放される。
【００４０】
本体ケース２００中のカウンター装置２９０の排出個数表示器２９１には賞球として排出された球の排出個数の総計が表示され、取込個数表示器２９２には賭球として取り込まれた球の総計が表示される。
ゲーム装置１のビッグチャンスの発生確率は例えば６段階に切換可能になっているが、その切換については後述する。
【００４１】
前面枠１００は押して閉めれば、そのまま施錠される。
その施錠後に、前面枠１００の鍵穴３０中に前記鍵（図示省略）をもう一度差し込んで反時計方向に回転させると、遊技装置１がリセットされて再ゲーム可能な状態となる。このリセット操作によって、前記排出個数表示器２９１および取込個数表示器２９２がリセットされる。
【００４２】
この遊技装置１は、前面枠１００裏側の配線処理の簡素化と特定部所への必要コネクタの数を減らすため、各種装置（例えば、賭数表示ユニット７６０）や基盤（例えば、液晶パネル制御基盤７５０）を一定の順序で配線接続を行う中継基盤として利用したり、補強枠１３０裏側の凹状溝１３１ａ，１３３ａを配線通し用溝として利用したりしている。
【００４３】
クレジット数表示装置７７０、液晶パネル制御基盤７５０および賭数表示ユニット７６０からのリード線をそれぞれ別個に取込とスイッチ類の制御基盤９２０に導くと、リード線１７１，１７２，１７３等が長くなるとともに取込とスイッチ類の制御基盤９２０への接続コネクタの数が増えて配線処理が複雑になるので、クレジット数表示装置７７０、液晶表示装置としての液晶テレビ装置７００の液晶パネル制御基盤７５０、賭数表示ユニット７６０、中継基盤９１０の順にリード線１７１，１７２，１７３を介して中継接続している。即ち、クレジット数表示装置７７０をリード線１７１を介して液晶パネル制御基盤７５０に、液晶パネル制御基盤７５０からリード線１７２を介して賭数表示ユニット７６０に、さらに、該賭数表示ユニット７６０をリード線１７３を介して中継基盤９１０に、それぞれ順に接続する。そして、この該中継基盤９１０をリード線１７４を介して取込とスイッチ類の制御装置９２０に接続している。従って、それら各リード線１７１，１７２，１７３の長さは短くなり、また、取込とスイッチ類の制御基盤９２０への接続コネクタの数も少なくなって、配線処理が簡素化される。そして、取込みとスイッチ類の制御装置９２０からのリード線１７５を補強枠１３０の凹状溝１３３ａ中を介して下のヒンジ１９０側に導き、そこから本体ケース２００中に導いている。一方、液晶テレビ装置７００からのリード線１７６は補強枠１３０の凹状溝１３１ａ中を介して下のヒンジ１９０側に導き、そこから本体ケース２００中に導いている。リード線１７６は軟性合成樹脂シート１７７で包んである。
【００４４】
このように、液晶パネル制御基盤７５０および賭数表示ユニット７６０を中継基盤として利用したり、補強枠１３０裏側の凹状溝１３１ａ，１３３ａを配線処理用凹状溝として使用することによって、前面枠１００裏側の配線処理の簡素化が図られている。この配線処理の簡素化により、可変表示窓１０ｂ，１０ｃ，１０ｄの外からその内部配線処理を見えなくすることができる。また、リード線１７６の接続端子１７ｂを外すことにより、クレジット数表示装置７７０の交換が容易となる。また、前面枠１００を開いたときに、リード線１７１等の配線が目だたなくなる。
【００４５】
図７には前面枠１００の分解斜視図を示す。
この前面枠１００は前面枠本体１１０と該前面枠本体１１０の裏側に取り付けられる補強枠１３０とによって構成されている。そして、図３及び図４においては図示は省略したが、補強枠１３０の基部側の凹状溝１３１ａ中に無理嵌めされる、前記リード線１７６の保護カバー１７７が着脱可能に取り付けられている。
【００４６】
前記前面枠本体１１０は前面枠１００の前面部外形を構成するもので、この実施の形態の場合、樹脂（合成樹脂、天然樹脂を含む。）によって作られている。この前面枠本体１１０は前壁部１１０Ａと該前壁部１１０Ａの周囲に後向きに形成された包囲枠部１１０Ｂとから構成されている。
【００４７】
そして、その前壁部１１０Ａには、その上側から順に、大役物発生表示用開口部１１１〜１１３、液晶テレビ設置用開口部１１４、可変表示用開口部１１７〜１１９、ストップ表示用開口部１２４〜１２６、上側賞球排出用開口部１２８、取込用開口部１２７および下側賞球排出用開口部１２９が形成されている。
【００４８】
一方、前記補強枠１３０は、この実施の形態の場合、金属製の矩形枠によって構成され、その一側部（自由端部）裏側には施錠装置１４０が取り付けられている。また、同補強枠１３０の基部裏側の凹状溝１３１ａ中の上下には、それぞれ軸受部材１３６，１３７が取り付けられている。
【００４９】
この補強枠１３０が前記前面枠本体１１０裏側の包囲枠１１０Ｂ内に納められた状態で同前面枠本体１１０の裏側に取り付けられている。そして、その状態で、その補強枠１３０の基部側外側部と前面枠本体１１０の基部側包囲枠１１０Ｂの内側部との間、ヒンジ収納空間１３８が画成される。
【００５０】
この補強枠１３０によって前記前面枠本体１１０が補強されている。
この為、大きな力が加わり易い前面枠１００の本体部分を合成樹脂で一体成形することが可能となって、前面枠１００の作成が容易となる他、色彩を付け易く、角部を滑らかな曲面にすることも容易である。
【００５１】
前記保護カバー１７７は例えば横断面Ｕ字形の長尺物として構成され、弾性変形可能な合成樹脂等で作られている。そして、その幅ｄは補強枠１３０の基部側の凹状溝１３１ａの内幅より若干大きく、その凹状溝１３１ａ中に無理嵌めし得る程度の寸法に作られている。
【００５２】
補強枠１３０の基部側の凹状溝１３１ａ中に図３および図４に示す如くリード線１７６を収納した後、そのリード線１７６を覆うように凹状溝１３１ａ中に保護カバー１７７を無理嵌めしておけば、リード線１７６が凹状溝１３１ａ中から脱することはない。
このような簡単な構成で、凹状溝１３１ａ中からリード線１７６が脱しないようにすることができる。
【００５３】
また、施錠装置１４０が補強枠１３０に取り付けられているので、前面枠１００は施錠と解錠の操作時においても壊れにくい。
【００５４】
図８には、前面枠本体１１０を上段部分（例えば、ゲーム表示部分）、中段部分（例えば、操作系部分）、下段部分（例えば、皿関係部分）の３つに分割した第１の変形例の分解斜視図を示す。
前面枠本体１１０は全体を必ずしも一体成形しなくともよく、例えば、同図に示すように上段部分１１０Ｅと中段部分１１０Ｆと下段部分１１０Ｇとに分割成形して、これらを補強枠１３０に取り付けてもよい。このように分離して個別に補強しておけば、より強度が増し、各部への部品の取付けが容易である。そして、それら上段部分１１０Ｅ、中段部分１１０Ｆおよび下段部分１１０Ｇを各別個に本体ケース２００に開閉可能に取り付けておけば、各部分のメンテナンスや修理が容易である。
前面枠本体１１０をこのように分割成形した方がむしろ製作し易く、組み立て易くなる。
【００５５】
図９には、前面枠本体１１０と補強枠１３０とをそれぞれ上端部分、中段部分、下段部分の３つに分割した第２の変形例を示す。
この変形例では、３つに分割した前面枠本体１１０に合わせて補強枠１３０を上段部分１３０Ｅ、中段部分１３０Ｆ、下段部分１３０Ｇの３つに分割し、それらの上段部分１１０Ｅ，１３０Ｅ同士、中段部分１１０Ｆ，１３０Ｆ同士、下段部分１１０Ｇ，１３０Ｇ同士でそれぞれ前面枠１００の上段部分、中段部分および下段部分を構成する。
【００５６】
そして、それら前面枠１００の上段部分、中段部分および下段部分を本体ケース２００の前面側開口部にそれぞれ別個に回動可能に取り付け、施錠装置もそれぞれ別個に取り付ける。
このような構成にすれば、前面枠本体１１０および補強枠１３０の作成と、前面枠１００の開閉操作が楽になる。
【００５７】
図１０には前面枠１００の第３の変形例を前面枠１００の上端部分の縦断側面図として示す。
この第３の変形例では、前面枠本体１１０の包囲枠１１０Ｂ中に該包囲枠１１０Ｂと同じ矩形に作られた金属製の補強枠１３０Ｋが埋設されて、前面枠１００が作られている。
このようにすれば、前面枠１００が簡単に補強され得る。
【００５８】
図１１には前面枠１００の第４の変形例を前面枠１００の上端部分の縦断側面図として示す。
この第４の変形例では、前面枠本体１１０を構成する外枠１１０Ｄと該外枠１１０Ｄの背部内に嵌合される内枠１１０Ｅとの間に金属製の補強枠１３０Ｌ，１３０Ｍ，１３０Ｎを挟ませて、ビス１３９で外枠１１０Ｄと内枠１１０Ｅとを一体化させることによって前面枠１００が作られる。
【００５９】
前記補強枠１３０Ｌ，１３０Ｍは前面枠本体１１０の包囲枠１１０Ｂ部分の形状に合わせて矩形枠状に作られ、補強枠１３０Ｎは前面枠本体１１０の前壁部分の形状に合わせて作られている。
このようにして、合成樹脂等で作った前面枠本体１１０を補強してもよい。
【００６０】
図１２には補強枠１３０から施錠装置１４０等を取り外した状態の分解斜視図を示す。
矩形に組まれた補強枠１３０の裏側一側部の上下には軸受部材１３６，１３７が取り付けられている。これら軸受部材１３６，１３７には軸通し孔１３６ａ，１３７ａが同軸線上に設けられている。
【００６１】
補強枠１３０の他端部（自由端部）の裏側には、前面枠１００を本体ケース２００に施錠させる施錠装置１４０と、該施錠装置１４０を解錠させたりメイン制御装置（後述）をリセットさせたりする錠装置１４５が取り付けられている。
このため、前面枠１００に対する施錠装置１４０の取付けが強固となって、前面枠１００が壊れにくい。前記施錠装置１４０は、昇降操作可能な作動レバー１４１と、該作動レバー１４１の昇降に連動して昇降するフック１４２，１４３を具ている。そして、それら作動レバー１４１およびフック１４２，１４３は復帰用スプリング（図に現れていない。）によって常時上昇復帰力を与えられている。
【００６２】
前記錠装置１４５は前面枠１００の前面側から図示省略の鍵により回動操作される。その操作によって、錠装置１４５のカム１４６が時計方向に回動されたときにそのカム１４６が前記施錠装置１４０の作動レバーを押し下げてフック１４２，１４３を下げることにより施錠装置１４０を解錠させ、反時計方向に回動されたときにメイン制御装置２５０をリセットさせてゲーム可能にさせる。
また、補強枠１３０の裏側下部にはその裏側の凹状溝内に収納される配線ケーブルをホールドさせる配線ホルダー１４８が取り付けられている。
【００６３】
図１３には補強枠１３０の分解斜視図を示す。
補強枠１３０は第１〜第４のフレーム要素１３１〜１３４が矩形状に組まれ、各端部がボルト１３５ａとナット１３５ｂで相互に結合されて構成されている。この実施の形態の場合、第１〜第３のフレーム要素１３１〜１３３はコ字形断面となるように折曲されて補強されている。そして、それら第１〜第３のフレーム要素１３１〜１３３の後背部の凹状溝１３１ａ〜１３３ａが配線処理用の凹状溝として使われている。
【００６４】
第４のフレーム要素１３４はＬ形断面となるように折曲されて補強されている。そして、その下段寄りに前記施錠装置１４０および錠装置１４５を取り付けるための取付部１３４ａが設けられている。
【００６５】
図１４には本体ケース２００に対して前面枠１００を回動自在に支持する上側軸承部の部分斜視図を示し、図１５にはその下側軸承部の部分斜視図を示す。
本体ケース２００の前側開口部内の左側壁上端部と本体ケース２００の前面下部に前方に張り出して設けられた段部２０９ｈ上に、それぞれ軸受金具１９１，１９２が取り付けられている。これら軸受金具１９１，１９２の一部が本体ケース２００の前側開口部の手前側に水平に突出して、その各突出部１９１ａ，１９２ａに上向きに支軸１９１ｂ，１９２ｂが同軸線上に設けられている。
【００６６】
そして、上側の軸受金具１９１の先端部１９１ａが前面枠１００裏画の包囲枠１１０Ｂ内のヒンジ収納空間１３８（前面枠１００の背面側空間）中に至ってその先端の支軸１９１ｂが軸受金具１３６の軸通し孔１３６ａ中に、また、下側軸受金具１９２の支軸１９２ｂが前面枠１００の包囲枠１１０下側の切欠き部１１０ｂ中の軸受金具１３７の軸通し孔１３７ａ中に、それぞれ下側から挿通されることにより、本体ケース２００に対して前面枠１００が開閉自在（回動自在）に支持されている。前面枠１００が開放されているときには、軸受金具１９１の先端側が包囲枠１１０Ｂの逃げ用切欠き部１１０ａ中に逃げて包囲枠１１０Ｂに当たらないようになっている。
このように、前面枠１００が、補強枠１３０に取り付けられた軸受金具１３６，１３７を介して本体ケース２００に支持されているので、前面枠１００はその回動操作に対する強度を十分保てる。また、軸受金具１９１，１９２が本体ケース２００内に納められるとともに、それらの突出部１９１ａ，１９２ａが前面枠１００の背面側空間１３８内および前面枠１００の下側に納められているので、ヒンジ１９０，１９０が外部に現れず、邪魔にならない。
【００６７】
図１６には本体ケース２００の正面図を示す。
本体ケース２００は可変表示ドラム装置６００、メインタンク４１０、サブタンク４２０、排出樋４３０、賞球排出ユニット４５０、賞球排出制御装置４７０、球抜き樋５５０、メイン制御装置２５０および電源装置３７０等を収容するもので、前側が開口した箱体状に形成されている。
【００６８】
この本体ケース２００内の中段部には前記棚板３６が設置され、背板の上部には換気孔２０９ｄが設けられ、該換気孔２０９ｄに電動式換気扇２６５が取り付けられている。また、その背面の中央の上半部と下半部にはそれぞれ換気孔２１１，２１２が設けられ、上半部右側には覗き窓２２１と配線取出用孔２２２が形成されている。
また、この本体ケース２００内の上部右端には賞球排出系上半ユニット（後述）を回動可能に支持する支持部材２３１，２３２が取り付けられ、それら支持部材２３１，２３２には上向きに支持ピン２３１ａ，２３２ａが設けられている。一方、この本体ケース２００内上半部左端側の上下には前記賞球排出系ユニットを定常位置で回動しないように固定し得る固定部材２３５，２３６が取り付けられている。また、本体ケース２００内の、前記施錠装置１４０のフック１４２，１４３と対応する側壁部には、それらフック１４２，１４３を係合させる施錠受部２０６ａ，２０７ａが設けられている。
【００６９】
図１７には本体ケース２００の背面図を示す。
本体ケース２００背面の前記覗き窓２２１の部分には該覗き窓２２１を開閉する蓋体２２５が昇降操作可能に取り付けられている。また、本体ケース２００の背面板の前記配線取出用孔２２２の内側にはカウンター装置２９０が取り付けられるとともに、遊技装置１の電源コード２２８が取出用孔２２２の裏側から引き出されている。
【００７０】
図１８には球取込装置ユニット３００の裏蓋（図示省略）を取り外した球取込装置ユニット３００の背面側（後側）斜視図を、図１９にはその背面（後面）図を、図２０にはその表側（前面側）斜視図をそれぞれ示す。
この球取込装置ユニット３００は前面枠１００の内側に取り付けられる取込基板３１０を有し、該取込基板３１０の裏側に球導入樋３２０が設けられている。この球導入樋３２０に沿って取込装置３３０、取込カウンタ３４０および切換装置３５０等が取り付けられて構成されている。
【００７１】
前記球導入樋３２０は前面枠１００前面の供給皿７１中の球を遊技装置１内に取り込んで島設備（図示省略）内に回収させたり、前面枠１００前面の下皿８０中に回収させたりするもので、上方から下方に下る方向に設けられている。この球導入樋３２０は取込速度を弱めるために曲がりくねらせてあって、その上端部には取込口２６が設けられている。また、この球導入樋３２０の上流部には取込球の流下速度を弱める減速用傾斜面３２５が設けられている。この傾斜面３２５は流下方向の下流側が低くなるように緩傾斜している。一方、球導入樋３２０の下流部は導入樋３２０中の球を前面枠１００前面の下皿８０中に戻す戻し通路３２１と島設備内に回収させる回収通路３２２とに分岐している。
【００７２】
前記取込装置３３０は球導入樋３２０の通路の途中を開閉して球導入樋３２０の上流側通路の球をその下流側の戻し通路３２１又は回収通路３２２方向に流下させるもので、取付基板３１０に取り付けられた取込ソレノイド３３１と該取込ソレノイド３３１の作動ロッド３３１ａ（図１９）に取り付けられたリンク３３２により支軸３３３を軸心として回動されて球導入樋３２０中の通路を開閉する開閉部材３３４とを具えている。
【００７３】
取込装置３３０はこのように構成されていて、常時は、取込ソレノイド３３１が消磁されてその作動ロッド３３１ａ（図１９）がそれに巻装された復帰用スプリング３３１ｂ（図１９）の伸張復帰力等により下降し、それによって、開閉部材３３４の先端部が開口部３２３を介して球導入樋３２０中に入り込んでその内部通路を閉じた状態となっている。が、取込ボタン２４ａの操作に伴うメイン制御装置２５０からの指令により取込ソレノイド３３１が励磁されると、作動ロッド３３１ａが上昇し、それに伴って、開閉カム３３４が支軸３３３を軸心としてその先端側が球導入樋３２０中から脱する方向に回動されてその内部通路が開放される。その開放によってその上流側の球がその下流側に流下し得る状態に変換される。
【００７４】
前記切換装置３５０は戻し通路３２１と回収通路３２２との境界部において球の流れの方向を切換えるもので、切換ソレノイド３５１と、該切換ソレノイド３５１によって回動される切換弁３５２とを具ている。前記切換弁３５２は前記回収通路３２２と戻し通路３２１との分岐路部分に支軸３５２ａを軸心として回動可能に設置されている。図１５に示すように、この切換弁３５２の支軸３５２ａに固定された作動レバー３５３の自由端部に、支軸３５６を軸心として回動する回動レバー３５５の一端が取り付けられている。そして、その回動レバー３５５の他端が切換ソレノイド３５１の作動ロッド３５４の先端部（下端部）に取り付けられている。
【００７５】
切換装置３５０はこのように構成され、切換ソレノイド３５１の作動ロッド３５４の動作により切換弁３５２が回動されて回収通路３２２と戻し通路３２１とが交互に開閉切換されるようになっている。
【００７６】
図示は省略するが球導入樋３２０の上流、例えば、図１０図中、下から５個目の球を検出し得る位置に球不足検出器が設置されている。
なお、前記取込口２６に、ソレノイド等により作動される開閉装置（図示省略）を設置しておき、球の非取込時には、その開閉装置によってその取込口２６を塞ぐようにしてもよい。これにより、取込口２６へ異物などを差し込む不正を防ぐことができる。
【００７７】
図２１には賞球排出系上半ユニットの全体斜視図を、図２２にはその正面図を、図２３には賞球排出ユニットの分解斜視図をそれぞれ示す。
この賞球排出系上半ユニット４００は、本体ケース２００内に回動可能に取り付けられる回動基枠４０１と、この回動基枠４０１の前面側上端部に取り付けられたメインタンク４１０と、同中段部に取り付けられたサブタンク４２０と、同下段部に取り付けられた排出樋４３０と、同左側下部に取り付けられた賞球排出樋ユニット４５０と、該賞球排出樋ユニット４５０の中段前面部に取り付けられた賞球排出制御装置４７０等とから構成されている。そして、前記回動基枠４０１の自由端側には、前記本体ケース２００中の固定部材２３５，２３６（図１６）の係止穴２３５ａ，２３６ａ中に挿着され得るナイラッチと呼ばれる止着装置４０６，４０６が取り付けられている。
【００７８】
より詳しく説明すると、前記回動基枠４０１は、前記メインタンク４１０、サブタンク４２０、排出樋４３０および賞球排出ユニット４５０の取り付けられた賞球排出系上半ユニット４００全体を、本体ケース２００内で一端側を軸心として水平方向に回動可能に支持するものである。この回動基枠４０１の前面側上段部には前記メインタンク４１０と相俟ってメイン貯留空間４１１を画成するメイン貯留部４０２が形成されている。このメイン貯留部４０２の底部には球不足状態を検出する球不足検出器４０３が設置されている。
【００７９】
また、この回動基枠４０１の基端側（図２１中では右端側）には側板部４０４が前向きに形成されている。この側板部４０４前端の上部および下部には支持部材４０５，４０５が取り付けられ、これら支持部材４０５，４０５の先端部には軸孔４０５ａ，４０５ａが形成されている。
【００８０】
前記メインタンク４１０は前記本体ケース２００の補給用開口部２０１（図１）を介して補給される球を貯留するもので、上側および後側開口の器型に形成されている。このメインタンク４１０の底部は左側が低くなるように傾斜して、その左側底部（下流側底部）には前記サブタンク４３０中に球を流出させる球の流出口（図に現れていない。）が形成されている。また、このメインタンク４１０の左右両側と下側には例えばナイラッチと呼ばれるワンタッチ式の止着装置４１５が取り付けられ、これら止着装置４１５の先端突子（図面に現れていない）が前記回動基枠４０１に設けられた取付穴（図に現れていない）中に嵌着し得るようになっている。また、このメインタンク４１０の下側には前記サブタンク４２０中の球を均す球均し４１３が揺動自在に吊支されている。
【００８１】
メインタンク４１０はこのように構成されていて、前記止着装置４１５を介して前記回動基枠４０１の表側に着脱可能に取り付けられている。そして、その取り付けられた状態において、そのメインタンク４１０と前記回動基枠４０１のメイン貯留部４０２とでメイン貯留空間４１１が画成されている。
【００８２】
前記サブタンク４２０は前記メインタンク４１０の下流側底部の流出口（図に現れていない。）から流出された球を予備的に貯留するもので、その上流側上部が開口した器型に作られている。このサブタンク４２０の底部は右側が低くなるように傾斜していて、その右側端の底部（下流側端の底部）には前記排出樋４３０中に球を流出させる球の流出口（図に現れていない。）が形成されている。また、このサブタンク４２０の下側には前記排出樋４３０中の球を均す球均し４３２が揺動自在に吊支されている。このサブタンク４２０は、その周りに取り付けられた例えば、ナイラッチと呼ばれるワンタッチ式の止着装置４２５によって、前記回動基枠４０１の裏側中段部に、前記メインタンク４１０におけると同様にして取り付けられている。
【００８３】
前記排出樋４３０は前記サブタンク４２０の下流側流出口（図に現れていない）から流出された球を前記賞球排出ユニット４５０の賞球排出樋（後述）中に導くもので、上側が開口した器型に作られている。この排出樋４３０はその左側（図２１中）が低くなるように傾斜していて、その左側の底部（下流側端の底部）には該排出樋４３０中の球を前記賞球排出ユニット４５０の賞球排出樋（後述）中に流出させる球流出口（図に現れていない）が形成されている。排出樋４３０の上流側と下流側には、それぞれ電動式の球ならし装置４３６，４２６が設置されている。この排出樋４３０はその左右に取り付けられた止着装置４３５によって、前記回動基枠４０１の裏側下段部に、前記メインタンク４１０におけると同様にして取り付けられている。
【００８４】
また、回動基枠４０１の右側上部には前記接続端子基盤４７０が取り付けられている。
前記賞球排出ユニット４５０は前記排出樋４３０を介して送られてくる球を前記前面基枠１００側の賞球導出樋５００中に流出させるもので、賞球排出ユニット本体４５０Ａと該賞球排出ユニット本体４５０Ａに取り付けられる蓋体４５０Ｂとから構成されている。
【００８５】
前記賞球排出ユニット本体４５０Ａは正本体４６０と副本体４７０とから構成されている。
前記正本体４６０は賞球排出ユニット本体４５０Ａの後側上半排出部４６１と下半排出部４６２とから構成され、その後側上半排出部４６１前側には前記副本体４７０の取付部４６３が設けられている。
【００８６】
そして、前記正本体４６０の上半部前側と前記副本体４７０の前側には曲がりくねった賞球排出樋４５１が１条ずつ設けられ、それら賞球排出樋４５１の下流側にはそれぞれ賞球排出カウンタ４５２ａと賞球排出装置４５３が設置されている。
【００８７】
前記賞球排出樋４５１，４５１は、その上段部、中段部、下段部がそれぞれ減圧路４５１ａ、縁切り路４５１ｂ、排出路４５１ｃとなっている。
前記減圧路４５１ａは排出樋４３０から送られてくる賞品球としての予備球の移動圧を減圧させるもので、同図に示すように緩傾斜状態に複数回Ｕターンさせて設けられている。前記縁切り路４５１ｂは、その下の排出路４５１ｃを通る賞品球同士に間隔を開けさせて前記賞球排出装置４５３による賞品球の排出制御を行い易くするもので、前記減圧路４５１ａに通ずる垂直通路４５１ｄと、後述の排出路４５１ｃに通ずる方向変換通路４５１ｅとから構成されている。そして、その垂直通路４５１ｄの下端部には、球の流下方向への移動力を減衰させる移動力減衰傾斜部４５１ｆが方向変換通路４５１ｅに向けて緩やかに下り傾斜させた状態で設けられている。また、方向変換通路４５１ｅの下流側には、前記減衰傾斜部４５１ｆに沿って流下する球の流下方向を垂直方向に方向変換させる案内傾斜壁４５１ｇが設けられている。一方、方向変換通路４５１ｅの後方の垂直通路４５１ｄの後壁部には球詰まり防止突部４５１ｉが前方（図１８中、左方）に突出して設けられている。この球詰まり防止突部４５１ｉによって、垂直通路４５１ｄに縦に並んで停止した球のうちの最も下の減衰傾斜部４５１ｆ上の球の中心位置がその上方の球の中心位置より常に前方（図１８では左方）に位置されるようになっている。それによって、上方の球の流下移動圧が最も下の減衰傾斜部４５１ｆ上に至る球を常に前方に一定距離以上押し遣ることとなり、従って、賞球排出樋４５１の球の通路のクリアランスを考慮したとしても、最も下の球は常に減衰傾斜部４５１ｆの下流側に押し遣られて球詰まりが防止される。
【００８８】
前記賞球排出装置４５３は賞球排出樋４５１の脇に設置された駆動手段としての賞球排出ソレノイド４５３ａと、該ソレノイド４５３ａの駆動力により駆動されて、前記賞球排出樋４５１中の球の排出を制御する流下阻止部材４５３ｅとを具ている。
前記賞球排出ソレノイド４５３ａは、その消磁（オフ）時に自重および復帰用スプリング４５３ｆの力により下降復帰されていて、励磁（オン）時に上昇する作動ロッド４５３ｂを具ている。
【００８９】
一方、前記流下阻止部材４５３ｅはそれぞれ前記賞球排出樋４５１の脇に取り付けられた支軸４５３ｄに回動自在に支持されている。
これら流下阻止部材４５３ｅの一側には、それぞれ連結ピン４５３ｇが突設され、これら連結ピン４５３ｇと前記各賞球排出ソレノイド４５３ａの作動ロッド４５３ｂの下端部とがそれぞれ連結部材４５３ｃを介して連結されている。
【００９０】
そして、前記賞球排出ソレノイド４５３ａが消磁（オフ）状態にあるときには、作動ロッド４５３ｂが下降して流下阻止部材４５３ｅの先端部が切欠き部を介して、それぞれ２条の賞球排出樋４５１の各排出路４５１ｃ中に入り込んで、それら排出路４５１ｃ中の球を流下させないようになっている。
が、前記賞球排出ソレノイド４５３ａが励磁（オン）されると、作動ロッド４５３ｂが上昇して前記流下阻止部材４５３ｅがそれらの先端側が上昇する方向に回動されて２条の賞球排出樋４５１の各排出路４５１ｃ中から脱して、それら排出路４５１ｃ中の球を流下させ得るようになっている。
【００９１】
前記正本体４６０の下半部には前記２条の賞球排出樋４５１の排出路４５１ｃを介して流下される球を賞球排出させたり回収させたりする導出樋４５４が１条設けられている。この導出樋４５４の下流側は賞球排出路４５４ａと回収路４５４ｂとに分岐している。そして、その分岐部に切換装置４５５が設置されている。
その切換装置４５５は前記導出樋４５４の脇に設置された駆動手段としての切換ソレノイド４５５ａと、該ソレノイド４５５ａの駆動力により駆動されて前記導出樋４５４の分岐部の流路切換えを行う切換弁４５５ｅとを具ている。
【００９２】
前記切換ソレノイド４５５ａは、その消磁（オフ）時に自重および復帰用スプリング４５５ｆの力により下降復帰されていて、励磁（オン）時に上昇する作動ロッド４５５ｂとを具ている。
【００９３】
一方、前記切換弁４５５ｅは前記導出樋４５４中を流下する球の流下方向を前記賞球排出路４５４ａ方向と前記回収路４５４ｂ方向とに切り換えるもので、その基部（下端部）が支軸４５５ｄにより回動自在に支持されている。そして、その基部と一体の腕部４５５ｇが連結部材４５５ｃを介して前記切換ソレノイド４５５ａの作動ロッド４５５ｂに連結されている。
【００９４】
そして、前記切換ソレノイド４５５ａが消磁（オフ）状態にあるときは、作動ロッド４５５ｃが下降して切換弁４５５ｅが図２２に示すように回収路４５４ｂ側を閉じた状態にある。
が、前記切換ソレノイド４５５ａが励磁（オン）されると、作動ロッド４５５ｃが上昇して切換弁４５５ｅが賞球排出路４５４ａ側を閉じた状態に変換する。前記蓋体４５０Ｂは前記賞球排出ユニット４５０Ａの前面部を覆うもので、例えば平板状に作られている。
【００９５】
この蓋体４５０Ｂの上下の端側には、例えば、ナイラッチと呼ばれるワンタッチ式の止着装置４５８が取り付けられ、これら止着装置４５８の先端部を前記賞球排出ユニット４５０Ａ前面側の止着穴４５０ｃ中に嵌入させることによって、前記蓋体４５０Ｂが前記賞球排出ユニット本体４５０Ａの前面部に着脱可能に取り付けられている。
【００９６】
この実施の形態では、蓋体４５０Ｂが透明な材質で作られているので、賞球排出ユニット４５０内に球詰まり等の不具合が生じたときには、その蓋体４５０Ｂを取り外さなくてもその透明な蓋体４５０Ｂを通してその不具合（球詰まりや故障など）状態を容易に視認することができる。
このように構成された賞球排出ユニット４５０は前記回動基枠４０１の所定の位置に位置決めされた状態でナイラッチと呼ばれる止着装置によってワンタッチで取り付けられている。
上記メインタンク４１０、サブタンク４２０、排出樋４３０および賞球排出ユニット４５０はそれぞれユニット化されて、回動基枠４０１に位置決めされた状態でワンタッチで取り付けられているので、その製作と取り付けが容易である。
【００９７】
図２４には前記賞球排出系上半ユニット４００の球流出側下端部の縦断側面図を示す。
この賞球排出系上半ユニット４００の支持枠を構成する前記回動基枠４０１の下端部前面側には、前記賞球排出ユニット４５０の賞球排出路４５４ａと連通する流下制御樋４０７が設けられている。この流下制御樋４０７には該流下制御樋４０７を開閉する通路開閉装置４０８Ａが取り付けられている。
【００９８】
この通路開閉装置４０８Ａは、前記流下制御樋４０７の内部通路を開閉する開閉部材４０８と、該開閉部材４０８を、同開閉部材４０８が前記流下制御樋４０７の内部通路を閉じた状態に復帰させる復帰用スプリング４０９ａとによって構成されている。
【００９９】
より詳しく説明すると、前記開閉部材４０８は上側から見下ろしてその外形が略長方形状に作られている。そして、その前半部には球の流下用開口部４０８ａが形成され、後半部は閉塞板部４０８ｂとなっている。この開閉部材４０８が前記流下制御樋４０７の内部通路の前後壁部に形成されたスリット孔４０７ａ，４０７ａを介して流下制御樋４０７の内部通路を横切る方向に進退自在に設置されている。
この開閉部材４０８は、常時は、前記回動基枠４０１の裏側下部に取り付けられた収納ケース４０９中に収納された復帰用スプリング４０９ａの伸張復帰力によって、図２４に示すようにその流下用開口部４０８ａが流下制御樋４０７の前方（図２４中、右方）に突出し、その閉塞部４０８ｂで流下制御樋４０７の内部通路を閉塞してその内部通路中の球を流下させない状態となっている。そして、その開閉部材４０８の先端部が押されて後退する方向（図２４中左方）に引込むと、流下用開口部４０８ａが流下制御樋４０７の内部通路中に至って、その内部通路中の球が流下できる状態となる。
【０１００】
図２５には前記賞球導出樋５００の前面側斜視図を示す。
この賞球導出樋５００は、前記賞球排出樋４５１，４５１から賞球排出路４５４ａを介して流下された球を前面枠１００の上皿７１中および下皿８０中に排出させるもので、略Ｌ型の中空樋として作られ、内部に導出路５２０が設けられいる。この賞球導出樋５００の上端部裏側には図２５に示すように当接部５１０と前記導出路５２０への流入口５２１が設けられている。また、この賞球導出樋５００の前側上部には上側流出口５２２が、前側下部には下側流出口５２３がそれぞれ前記導出路５２０に連通させて設けられている。
【０１０１】
また、この賞球導出樋５００の下流側端部の側部に前記球導入樋３２０の球戻し通路３２１と連通接続される戻し球流入口５２４が設けられている。
賞球導出樋５００はこのように構成されていて、その上側流出口５２２が前記上皿７１の賞球排出口６３ａと、下側流出口５２３が前記下皿８０の賞球排出口８５ａと、戻し球流入口５２４が球導入樋３２０の球戻し通路３２１とそれぞれ連通した状態に、前面枠１００の裏側下部に取り付けられている。
【０１０２】
図２６には回収樋５５０の前面側斜視図を示す。
回収樋５５０は例えば同図に示すような形をしていて排出された球を島設備内の回収樋（図示省略）中に回収させるものである。
この回収樋５５０には、前記回収路４５４ｂを介して流下された球を島設備内の回収路（図示省略）に導く回収通路５５１が設けられている。この回収通路５５１の上流側端部には前記回収路４５４ｂと連通接続される流入口５５１ａが、下流側端部には島設備（図示省略）内に球を流出させる流出口５５１ｂが設けられている。また、この回収樋５５０の上端部には、前記賞球排出樋４５１，４５１から賞球排出路４５４ａを介して流下された球を前記賞球導出樋５００中に導く賞球案内路５５２が設けられている。
【０１０３】
図２７には、本体ケース２００中に設置された賞球排出ユニット本体４５０Ａおよび回収樋５５０と、前面枠１００の裏側に設置された賞球導出樋５００との関係をそれらの部分縦断側面図として示す。
賞球排出ユニット本体４５０Ａおよび回収樋５５０が本体ケース２００中に設置された状態においては、同図に示すように、賞球排出ユニット４５０の賞球排出路４５４ａが回収樋５５０の賞球案内路５５２と連通した状態となっている。
【０１０４】
前記本体ケース２００に対して前面枠１００が閉められた状態においては、図２７に示すように、賞球導出樋５００の上端部後側の当接部５１０が流下制御樋４０７の開閉部材４０８の先端に当たって同開閉部材４０８を後退させることにより、開閉部材４０８の流下用開口部４０８ａが流下制御樋４０７中に至って同流下制御通路４０７を開放した状態となっている。そして、賞球案内路５５２が賞球導出樋５００の導出路５２０の流入口５２１と連通した状態となっていて、賞球排出樋４５１，４５１から賞球排出路４５４ａを介して排出される球は賞球排出路４５４ａを介して賞球導出樋５００の導出路５２０中に流入され得る状態となっている。このときには、賞球排出装置４５３によって排出される球は上皿７１および下皿８０中に排出が可能となっている。
【０１０５】
この状態で、前記本体ケース２００に対して前面枠１００が開放されると、賞球導出樋５００が回収樋５５０の流下制御樋４０７から離れる。が、同時に賞球導出樋５００の上端部後側の当接部５１０が流下制御樋４０７の開閉部材４０８の先端から離れるので、開閉部材４０８が復帰用スプリング４０９ａの伸張力によって前進され、その開閉部４０８ｂで流下制御樋４０７の内部通路が閉じられる。この開閉部材４０８による流下制御通路４０７の閉塞によって、賞球排出路４５４ａ中の球が流下できなくなり、もって、球のこぼれが防止される。
【０１０６】
図２８には、可変表示ドラム装置６００の斜視図を示す。
可変表示ドラム装置６００は、ドラムボックス６１０と、該ドラムボックス６１０中に設置された複数（例えば、３つ）のドラムユニット６６０，６７０，６８０と、これらドラムユニット６６０，６７０，６８０をメイン制御装置２５０（図６）に電気的に接続するための接続コネクタ６４０等を備えている。
【０１０７】
前記ドラムボックス６１０は前面開口の中空状の箱として作られ、該ドラムボックス６１０の前面側開口部には、透明（又は半透明）な前カバー６５０が、その上端部を、その前面側開口部の上端部に設けられた軸受部６１１，６１１に支軸６５１を介して支持されている。そして、その支持された状態で、前カバー６５０はその支軸６５１を軸心として下端側が上下動する方向に回動（開閉）可能となっている。
【０１０８】
従って、ドラムボックス６１０上方のメインタンク４１０やサブタンク４２０等からのこぼれ球はその透明な前カバー６５０に当たるだけでドラムボックス６１０中の可変表示ドラム（ドラム）６６７，６７７，６８７に傷付けることはない。
また、このドラムボックス６１０の屋根６１１の上面はその後部側が低くなるように滑らかに傾斜した傾斜面となっている。従って、ドラムボックス６１０上方のメインタンク４１０やサブタンク４２０等からそのドラムボックス６１０の上面に落下したこぼれ球はその屋根６１１の傾斜面に導かれてドラムボックス６１０の後方から回収される。
【０１０９】
図示は省略するが、前記本体ケース２００の棚板３６の手前寄り部分と奥側寄り部分には開口部が設けられるとともに、ケース２００の底部にはそれら開口部を介して落下した球を島設備の回収樋中に導く案内部が設けられている。
【０１１０】
このドラムボックス６１０下部の左右両側には止着片６１２が略水平に設けられ、それら止着片６１２に例えばナイラッチと呼ばれるワンタッチ式の止着装置６１３が取り付けられている。そして、これら止着装置６１３の先端部（下端部）が本体ケース２００内の前記棚板３６に設けられた止着穴（図示省略）中に挿着されることにより、ワンタッチで簡単にセットできるようになっている。
【０１１１】
図２９には前記ドラムユニット６８０の分解斜視図を示す。
ドラムユニット６６０，６７０，６８０は３つ共略同じ構成になっているので、その中の１つのドラムユニット６８０についてのみ説明する。
ドラムユニット６８０は、同図に示すように、仕切板６８１、該仕切板６８１に取付枠６８２を介して取り付けられたパルスモータ（ステッピングモータ等も含む。）６８３、該パルスモータ６８３の駆動軸（図に現れていない。）に取り付けられた可変表示ドラム６８７、および前記仕切板６８１の内側でかつ前記可変表示ドラム６８７の内側に取り付けられた照明装置６８５等を具ている。
【０１１２】
前記仕切板６８１は前記パルスモータ６８３、可変表示ドラム６８７および照明装置６８５等を支持するものである。が、右側のドラムユニット６８０の仕切板６８１はドラムボックス６１０の側壁板を兼ねている。
前記パルスモータ６８３は、前記可変表示ドラム６８７をその回転の停止角度位置を制御し得る状態で回転させるもので、前記仕切板６８１の内側側面中央部に、前記取付枠６８２を介して取り付けられている。このパルスモータ６８３の駆動軸に取り付けられたプーリ（図に現れていない）に、前記可変表示ドラム６８７が取り付けられている。
【０１１３】
前記可変表示ドラム６８７は、透光性（半透光性）のドラムリール部６８７ａと、このドラムリール部６８７ａに支持片６８７ｂを介してその内側中央に設けられた取付部６８７ｃとを具えている。
可変表示ドラム６８７はこのように構成されていて、その内側中央の取付部６８７ｃを介して前記パルスモータ６８３の駆動軸に取り付けられた前記プーリ（図に現れていない）に取り付けられている。そして、その取り付けられた状態においてはそのドラムリール部６８７内に前記照明装置６８５が臨むようになっている。
【０１１４】
前記照明装置６８５は前記可変表示ドラム６８７の手前位置に至ったドラムリール部６８７ａの部分をその内側から遊技者側に向けて照明するもので、ランプ支持部材６８４と該ランプ支持部材６８４の上段、中段および下段に取り付けられた可変表示部ランプ６８４ａ６８４ｂ，６８４ｃとを具ている。この照明装置６８５はこのように構成されていて、そのランプ支持部材６８４を介して前記仕切板６８１の内側部の取付片６８１ａに取り付けられている。そして、その取り付けられた状態において、前記可変表示ドラム６８７のドラムリール部６８７ａ内に位置した状態となっている。
【０１１５】
前記可変表示ドラム６６７，６７７，６８７同士の間隔はそれらの間に球が入ったり、挟まったりしない程度の狭い間隔になっている。
前記パルスモータ６８３および照明装置６８５への配線の図は省略する。
【０１１６】
図３０〜図４２は前面枠１００への各種部品の取付説明図である。それらのうち、図３０は前面枠１００の前面側斜視図、図３１は表示パネル１０Ａ、大役物表示ランプカバー２０Ａおよび装飾部材３０Ａ，３０Ｂ，３０Ｂの斜視図、図３２はストップスイッチユニット４０の斜視図、図３３はストップスイッチユニット４０の分解斜視図、図３４はストップスイッチ４２（４３，４４）の分解斜視図、図３５は前面枠１００の操作部１１５にストップスイッチユニット４０を設置した状態を示す操作部の部分縦断側面図、図３６は装飾カバー６０，７２および上皿７１等の斜視図、図３７は上皿７１が設置された前面枠１００の部分縦断側面図である。また、図３８は下皿８０および賞球排出枠８５の斜視図、図３９は下皿８０が設置された前面枠１００の部分縦断側面図、図４０は取込スイッチ２４等が設置された前面枠１００の部分縦断側面図、図４１はスタートスイッチ装置９０の分解斜視図、図４２はスタートスイッチ装置９０が設置された前面枠１００の部分縦断側面図である。
【０１１７】
図３０に示すように、前面枠１００を構成する前面枠本体１１０の上半部にはパネル取付部１１１が設けられている。このパネル取付部１１１の上段部には液晶パネル設置用開口部１１１ａが、中段部には賭数表示用開口部１１１ｂ、可変表示用開口部１１３ａ，１１３ｂ，１１３ｃおよびボーナスゲーム表示用開口部１１１ｃおよびクレジット数表示用開口部１１１ｄが、下段部にはストップランプ用開口部１１４ａ，１１４ｂ，１１４ｃがそれぞれ設けられている。
【０１１８】
前面枠本体１１０の最上段部には大役物発生表示用開口部１１２ａ，１１２ｂ，１１２ｃが設けられている。
前面枠本体１１０中段の操作部１１５の上壁部には取込ボタン設置用開口部１１５ａ、オート／マニュアル切換ボタン設置用開口部１１５ｂおよび精算／完了ボタン設置用開口部１１５ｃが設けられ、同操作部の前壁部にはストップボタン設置用開口部１１６ｃが設けられている。
【０１１９】
前面枠本体１１０下段部の上部寄りの左側と右側にはそれぞれ賞球排出用開口部１１６ｂおよび取込用開口部１１６ｄが、下部寄りの中央部には賞球排出用開口部１１６ｅがそれぞれ設けられている。
このように構成された前面枠本体１１０の前面部に図３１〜図４２に示す各種構成部品が取り付けられている。
【０１２０】
即ち、図３１に示す可変表示パネル（前面表示パネル）１０Ａは可変表示部１０（図１）を構成するもので、前記パネル取付部１１１に取り付けられている。この可変表示パネル１０Ａは例えば非透光性の薄板材により作られている。そして、その上部中央には透明な情報表示部１０ａが、下部には透明な可変表示用窓１０ｂ，１０ｃ，１０ｄが設けられている。
【０１２１】
前記表示用窓１０ａの左側には半透光性のビッグチャンス表示部１０ｅが設けられ、右側には半透光性のスコア表示部１０ｆが設けられている。
前記可変表示窓１０ｂ，１０ｃ，１０ｄの下側には半透光性のストップ表示部１０ｇ，１０ｈ，１０ｉが設けられ、左側と右側にはそれぞれ賭け数が表示された半透光性の賭数表示部１０ａ〜１０ｅ、半透光性のボーナスゲーム表示部１０ｒおよび半透光性のクレジット数表示用窓１０ｓが設けられている。また、前記可変表示窓１０ｂ，１０ｃ，１０ｄを横切るようにして組合せ表示ライン（ａ〜ｃ）が設けられている。
【０１２２】
同図に示す大役物発生表示用ランプカバー２０Ａは前面枠本体１１０最上段の開口部１１２ａ，１１２ｂ，１１２ｃ中に設置される大役物表示用ランプ（図示省略）を覆うカバーで、半透光性の器状に作られている。この大役物ランプカバー２０Ａは前面枠本体１１０の最上段部に取り付けられて大役物発生表示部２０を構成している。
【０１２３】
同図に示す装飾部材３０Ａ，３０Ｂ，３０Ｂは前面枠本体１１０上半部の縁部前面側を覆って装飾するもので、同上半部の縁部前面側にコ字状に配設されて前記装飾枠３０を構成している。
【０１２４】
図３２に示すストップスイッチユニット４０は、取付基盤４１に、押圧操作用のストップボタン２２ａ〜２２ｃ等を有するストップスイッチ装置４２〜４４が取り付けられて構成されている。そして、このストップスイッチユニット４０は、図３５に示すように、前面枠本体１１０の操作部１１５の開口部１１６ｃに取り付けられている。
【０１２５】
図３２に示すストップスイッチユニット４０は、図３３に示すように、集合基枠４５に、ストップスイッチ装置４２〜４３が取り付けられて構成されている。より詳しく説明すれば、前記集合基枠４５は前記ストップスイッチ装置４２〜４３をまとめて前面枠本体１１０中段の開口部１１６ｃに取り付けるもので、その裏側には筒状取付枠４５ａ〜４５ｃが形成されている。
【０１２６】
一方、前記ストップスイッチ装置４２〜４３はその前側のストップボタン２２ａ〜２２ｃの操作に基づいてメイン制御装置２５０に可変表示ドラム６６７，６７７，６８７駆動用のパルスモータ６６３，６７３，６８３にストップ信号を送るスイッチ装置で、それらの前側寄りにフランジ状の取付板４２ａ〜４４ａが設けられている。
そして、これらストップスイッチ装置４２〜４３がそれらの前端部を前記集合基枠４５の取付枠４５ａ〜４５ｃ中に嵌挿された状態で取付板４２ａ〜４４ａを介して集合基枠４５に取り付けられている。
【０１２７】
ストップスイッチユニット４０はこのように構成されていて、図３５に示すように、前面枠１１０の操作部１１５の内側から開口部１１６ｃにその前端部を露出させた状態で取り付けられている。そして、そのストップスイッチユニット４０が取り付けられた操作部１５の前面部に、装飾板４１が取り付けられている。
【０１２８】
前記ストップスイッチ装置４２は、ケース４２ｂと、該ケース４２ｂ中に収納されたストップスイッチ４２ｃと、前記ケース４２ｂの開口部に取り付けられた蓋体４２ｄと、蓋体４２ｄの中央の貫通孔４２ｉ中に摺動自在に挿通される切換棒４２ｆを具えた作動部材４２ｅと、前記検知棒４２ｆに巻装されていて前記検知棒４２ｆが前記ストップスイッチ４２ｃの凹状検出部４ｊ中から脱する方向への移動復帰力を前記作動部材４２ｅに付与する復帰用スプリング４２ｇと、押圧操作によって前記作動部材４２ｅをその先端の検知棒４２ｆが前記ストップスイッチ４２ｃの凹状検出部４ｊ中に入り込む方向に移動させるストップボタン２２ａと、前記蓋体４２ｄの前面部に取り付けられて前記作動部材４２ｅ、復帰用スプリング４２ｇおよびストップボタン２２ａを収容する収容枠４２ｈとから構成されている。
そして、前記蓋体４２ｄには前記フランジ状の取付板４２ａが一体に形成され、前記ストップボタン２２ａの押圧部４ｋ前記収容枠４２ｈの開口部４２ｅを介してその前側に押圧操作自在に突出した状態となっている。
【０１２９】
ストップスイッチ装置４２はこのように構成され、常時は復帰用スプリング４２ｇの力で作動部材４２ｅおよびストップボタン２２ａが手前側に後退復帰されていて、検知棒４２ｆがストップスイッチ４２ｃの凹状検知部４ｊ中から脱し、ストップスイッチ４２ｃがオフ（ＯＦＦ）状態となっている。
この状態で、ストップボタン２２ａを押圧操作すると、作動部材４２ｅが前進して、その検知棒４２ｆの先端がストップスイッチ４２ｃの凹状検出部４ｊ中に入り込んで、ストップスイッチ４２ｃがオン（ＯＮ）状態となる。
【０１３０】
図３６に示す装飾カバー６０は上皿７１の設置部を構成する装飾用のカバーで、その裏側に突設された取付支柱６０ａ，６０ａを介して前面枠１１０下段部の上側寄り前面に取り付けられている。
この装飾カバー６０の一端側寄りには賞球排出用開口部６１が形成され、上部中央には球不足表示ランプ設置用開口部６２が形成されている。そして、前記開口部６１の裏側には前記導出樋５００の上側流出口５２２を介して流出される賞球を前記開口部６１を介して上皿７１中に排出させる賞球排出口６３ａを有する排出案内樋６３が取り付けられている。また、もう一方の開口部６２にはその裏側から球不足表示ランプ６４が取り付けられている。
【０１３１】
同図に示す上皿７１は前記賞球排出用開口部６１を介して排出される賞球を貯留してその下流側の取込口２６（図２）方向に流下させるもので、前記装飾カバー６０の前面部に取り付けられている（図３７）。
【０１３２】
同図に示すもう一方の装飾カバー７２は前記装飾カバー６０の前面側下部を装飾するもので、同前面側下部の開口部６６に取り付けられている（図３７）。
【０１３３】
図３８に示す下皿８０は前記賞球排出口８５ａを介して排出される賞球を貯留するもので、その上側および背面側が開口した器として作られている。
この下皿８０の底部には前記球抜きレバー８８（図１）によって開閉される球抜き孔８１が形成され、左右両側の後端部には先端に雄ねじ部８４を有する取付支柱８３が突設されている。また、この下皿８１に隣接して灰皿８２が設けられている。
【０１３４】
下皿８０はこのように構成されていて、図３９に示すように、その後側の前記取付支柱８３，８３が前面枠１００下部の取付凹部１１８，１１８中に嵌挿され、補強枠１３０の裏側に突出した雄ねじ部８４にナット８８が螺合されることによって、前面枠１００の前面側下端部に固定されている。
このように、下皿８０が補強枠１３０に取り付けられているので、下皿８０を前面枠１００に対して強固に支持することができ、下皿８０中に球が沢山溜ってもその取付部が壊れることはない。
【０１３５】
図３８に示す賞球排出枠８５は前記下皿８０中への賞球排出口を構成するもので、その中央には賞球排出口８５ａが形成されている。この賞球排出枠８５は前面枠本体１１０の賞球排出用開口部１１６ｅ（図３０）に取り付けられている。
【０１３６】
図４０に示すように、取込ボタン２４ａを備えた取込スイッチ装置２４、精算／完了ボタン２９ａを具えた精算／完了スイッチ装置２９、およびオート／マニュアル切換ボタン２８ａを具えたオート／マニュアル切換スイッチ装置２８は前面枠１００の操作部１１５の開口部１１５ａ，１１５ｂ，１１５ｃ中にそれぞれ設置されている。
【０１３７】
スタートスイッチ装置９０は、図４２に示すように、前面枠１００の操作部の開口部１１６ａ中に回動操作自在に設置されている。このスタートスイッチ装置９０は、図４１および図４２に示すように、スタート操作レバー９１と、該スタート操作レバー９１の回動操作によってオン・オフされるスタートスイッチ９２と、前記スタート操作レバー９１の手前側端部に取り付けられたスタート操作用把手９４等から構成されている。
【０１３８】
より詳しく説明すれば、前記スタート操作レバー９１は、操作部１１５の内側に取り付けられた軸受部材１１９に支軸９３を介して回動自在に支持されるとともに、復帰用スプリング９５によって内端側が上昇する向きの回動復帰力を与えられている。
【０１３９】
前記スタートスイッチ９２は前記軸受部材１１９の裏側に取付部材９９を介して取り付けられ、前記スタート操作レバー９１内端の検出部９１ａの回動変移を検出し得る位置にある。
前記スタート操作用把手９４は半透光性材料によって中空状に作られ、前記スタート操作レバー９１の手前側端部に取り付けられている。
このスタート操作用把手９４中にはスタートランプ９６が設置され、該スタートランプ９６は前記スタート操作レバー９１の中空部９１ｂ中を介して引き込まれた電気供給用のリード線９７に接続されている。
【０１４０】
前記スタート操作レバー９１が遊嵌された操作部の開口部１１６ａの前面には前記台座９８が取り付けられている。
スタートスイッチ装置９０は上記のように構成され、スタート操作レバー９１が復帰用スプリング９５の力によってその内端側が下降し、その内端の検出部９１ａがスタートスイッチ９２の凹状検出部中に入り込んでスタートスイッチ９２がオフ（ＯＦＦ）となっている。そして、常時はスタートランプ９６が消灯した状態となっている。
【０１４１】
この状態で、前記取込ボタン２４ａの操作によって球の取込みがなされると、スタートランプ９６が点灯してスタート操作が可能であることが知らされる。
この状態で、スタート操作用把手９４を握ってスタート操作レバー９１をその先端側が下降する方向に回動させると、そのスタート操作レバー９１内端側のスタート検出部９１ａが上昇してスタートスイッチ９２の凹状検出部中から脱してスタートスイッチ９２がオン（ＯＮ）となる。
【０１４２】
このスタートスイッチ９２のオン信号に基づいてスタートランプ９６が消えて、可変表示ドラム６６７，６７７，６８７を回転させるパルスモータ６６３（図示省略）、６７３（図示省略）、６８３が作動されるようになっている。
スタート操作用把手９４を放せば、スタート操作レバー９１が図４２に示す元の状態に復帰してスタートスイッチ９２がオフ（ＯＦＦ）となる。
【０１４３】
図４３〜図５１は前面枠１００の背面側への各種部品の取付説明図である。それらのうち、図４３は前面枠１００を構成する前面枠本体１１０の背面側斜視図、図４４は液晶テレビ装置７００の分解斜視図、図４５は賭数表示ユニット７６０およびクレジット数表示装置７７０の分解斜視図、図４６は球抜きスイッチ装置８２０、取込スイッチ装置２４、精算／完了スイッチ装置２９およびオート／マニュアル切換スイッチ装置２８等の斜視図である。また、図４７は中継基盤９１０、および取込とスイッチ類の制御装置９２０等の斜視図、図４８は導出樋５００および取込装置３００の背面側斜視図である。また、図４９は各種構成部品が設置された前面枠１００の縦断側面図、図５０は回収樋９４０の前面側斜視図、図５１は回収樋９４０が設置された本体ケース２００の部分斜視図である。
前面枠１００を構成する前面枠本体１１０（図４３）の背面部に、図４４〜図４８、および図５０に示す各種構成部品が取り付けられている。
【０１４４】
図４４に示す液晶テレビ装置７００は、取付基枠７１０と、該取付基枠７１０の前面側に取り付けれた半透光性のレンズパネル７２０と、前記取付基枠７１０の背面側に取り付けられて液晶表示とその制御を行うマイクロコンピュータ等が設置された液晶パネル制御基盤７５０とから構成されている。
前記レンズパネル７２０は前記液晶パネル制御基盤７５０前面側の液晶表示を拡大して表示するもので、半透明なレンズ板によって構成されている。
【０１４５】
前記取付基枠７１０は液晶テレビ装置７００を前面枠本体１１０に固定する枠で、その中央には液晶パネル取付用開口部７１１が形成されている。そして、その開口部７１１に前記液晶パネル７２０が取り付けられている。取付基枠７１０の上部には大役物表示用開口部７１２，７１３，７１４が、また、その左側と右側には、それぞれビッグチャンス表示用開口部７１５およびスコア表示用開口部７１６が設けられている。
この取付基枠７１０の裏側に、前記液晶パネル制御基盤７５０が取り付けられている。この液晶パネル制御基盤７５０の前面部には液晶表示部（図に現れていない）が設けられている。一方、この液晶パネル制御基盤７５０の裏側にはその液晶表示部の情報表示を制御する各種電子部品や回路等が配設される他、前記大役物表示用開口部７１２，７１３，７１４、ビッグチャンス表示用開口部７１５およびスコア表示用開口部７１６中に至る表示用ランプ７５３等が配設されている。
【０１４６】
また、この液晶パネル制御基盤７５０の左側下端部には、前記クレジット数表示装置７７０のリード線１７１のコネクタ１７１ａ（図４）を接続させる第１の接続端子７５１が取り付けられている。一方、その右側下端部には前記賭数表示ユニット７６０への接続用リード線１７２のコネクタ１７２ａ（図４）を接続させる第２の接続端子７５２が取り付けられている。そして、その第１の接続端子７５１と第２の接続端子７５２は液晶パネル制御基盤７５０に配設されたプリント配線（図示省略）によって相互に電気的に接続されている。
このように構成された液晶テレビ装置７００は前面枠本体１１０（図４３）上段部の開口部１１１ａにその裏側から前記取付基枠７１０を介して取り付けられている。
【０１４７】
図４５に示す賭数表示ユニット７６０は、表示枠７６１と、該表示枠７６１の裏側に取り付けられたランプ基板７６２と、該ランプ基板７６２に取り付けられた賭数表示ランプ７６３ａ〜７６３ｈ等とから構成されている。
より詳しく説明すれば、前記表示枠７６１の前壁部７６１Ａは半透光性材により作られ、その裏側にはランプ収容室７６１ａ〜７６１ｈが設けられている。そして、それらのうち、ランプ収容室７６１ｄの前壁部７６１Ａの前面には「５」の賭数表示（図示省略）が、ランプ収容室７６１ｂ，７６１ｆの前壁部７６１Ａの前面には「１０」の賭数表示（図示省略）が、ランプ収容室７６１ａ，７６１ｈの前壁部７６１Ａの前面には「１５」の賭数表示（図示省略）がそれぞれなされている。
【０１４８】
一方、ランプ基板７６２は前記表示枠７６１の裏側開口部を閉塞し得る大きさの平板状に作られている。そして、このランプ基板７６２には前記賭数表示ランプ７６３ａ〜７６３ｈが裏側から着脱可能に取り付けられ、裏側上部にそれら賭数表示ランプ７６３ａ〜７６３ｈに電気を供給するリード線７６４が接続されている。
このように構成されたランプ基板７６２が    前記表示枠７６１の裏側に取り付けられ、その取り付けられた状態において、最上段の賭数表示ランプ７６３ａが対応する最上段のランプ収容室７６１ａ中に、２段目の賭数表示ランプ７６３ｂ，７６３ｃが対応する２段目のランプ収容室７６１ｂ中に、３段目の賭数表示ランプ７６３ｄ，７６３ｅが対応する３段目のランプ収容室７６１ｄ中にそれぞれ収容された状態となる。また、４段目の賭数表示ランプ７６３ｆ，７６３ｇが対応する４段目のランプ収容室７６１ｆ中に、最下段の賭数表示ランプ７６３ｈが対応する最下段のランプ収容室７６１ｈ中にそれぞれ収容された状態となる。
【０１４９】
賭数表示ユニット７６０はこのように構成されていて、表示枠７６１の前壁部７６１Ａの前面が前面枠１００の前面と略面一となるように、その前面部を前面枠１００の開口部１１１ｂ中に嵌入させて、その開口部１１１ｂの裏側に表示枠７６１を介して取り付けられている。
同図に示すクレジット数表示装置７７０は装置本体７７１と該装置本体７７１の裏側に取り付けられる蓋体７７５とから構成されている。
それら各構成部品について詳しく説明すれば、前記装置本体７７１はクレジット数表示器７７２等を具えていて上部中央に半透光性の凹状穴７７１ａが設けられている。
【０１５０】
一方、蓋体７７５は前記装置本体７７１の裏側開口部を閉塞し得る大きさの平板状に作られている。そして、この蓋体７７５には前記装置本体７７１の凹状穴７７１ａ中に嵌入される着脱可能なボーナスゲーム表示ランプ７７６が取り付けられている。
同図中、ストップ表示窓部材８１０は前面枠本体１１０の開口部１１４ａ〜１１４ｃをその裏側から覆って取り付けられるもので、前記開口部１１４ａ〜１１４ｃに対応する半透光性の窓部８１１〜８１３を具えている。
このストップ表示窓部材８１０は前記開口部１１４ａ〜１１４ｃの裏側に取り付けられていて、それら各窓部８１１〜８１３が開口部１１４ａ〜１１４ｃの位置と一致せしめられている。
【０１５１】
図４６に示す取込スイッチ装置２４、精算／完了スイッチ装置２９、オート／マニュアル切換スイッチ装置２８はそれぞれ取付ボタン２４ａ、精算／完了ボタン２９ａ、オート／マニュアル切換ボタン２８ａを具えていて、前記ストップスイッチユニット４２（図３４）と同じように構成されている。そして、図４０に示すように、操作部１１５の開口部１５ａ〜１５ｃ中にそれぞれ設置されている。
同図に示す球抜スイッチ装置８２０は前記前面枠本体１１０の裏側に取り付けられる取付枠８２１と該取付枠８２１中に取り付けられた球抜スイッチ８２５とから構成されている。前記前面枠本体１１０には前記回収球抜き用孔３７と連通する差込孔８２２が設けられている。この球抜スイッチ装置８２０が前面枠本体１１０の裏側中段の右側に取り付けられている。そして、その回収球抜き用孔３７、差込孔８２２を介して差し込まれる回収球抜きスイッチ操作棒によって前記球抜きスイッチ８２５がオン・オフ操作されるようになっている。
【０１５２】
図４７に示す中継基盤９１０は遊技装置１の前面枠１００裏側の配線処理の中継を行うもので、前面枠本体１１０の裏側下段部の上側寄りに取り付けられている。この中継基盤９１０には、取込、スタートおよびストップ等の系統の配線がコネクタ９１１を介して、賭数表示やクレジット数表示等の系統の配線がコネクタ９１２を介して、取込、球不足および完了等の系統の配線がコネクタ９１３を介して、それぞれ接続されている。また、前記取込とスイッチ類の制御装置９２０等への配線のコネクタ９１４が接続されている。
同図に示す取込とスイッチ類の制御基盤９２０は賭球の取込みとスイッチ類の制御を行うもので、前面枠１００の裏側下段部の下側寄りに取り付けられている。
【０１５３】
この取込とスイッチ類の制御装置９２０には前記中継基盤９１０からの配線のコネクタ９２１、およびメイン制御装置２５０への配線のコネクタ９２２，９２３がそれぞれ接続されている。
同図に示す中継基盤９３０は前面枠１００裏側配線のメイン制御装置２５０への中継を行うもので、前面枠１００の裏側下部の右端に取り付けられている。
この中継基盤９３０にはオーバーフロースイッチや球抜スイッチ等からの配線のコネクタ９３１やメイン制御装置２５０への配線用コネクタ９３２が接続されている。
【０１５４】
図４８に示す導出樋５００は前面枠１００の裏側下段部右端寄りに取り付けられている。
そして、同図に示す取込装置ユニット３００が前面枠本体１１０の裏側下段の左端に取り付けられていて、該取込装置ユニット３００の戻し通路３２１に導出樋５００の戻し球流入口５２４が接続されている。
【０１５５】
図５０に示す回収樋９４０は前記取込装置ユニット３００の回収通路３２２を介して回収される球を島設備の回収樋（図示省略）に回収させるもので、前記回収通路３２２から流下される球を本体ケース２００底部の回収口２０２に導く回収通路９４１を具ている。
回収樋９４０はこのように構成されていて、図５１に示すように本体ケース２００内の下部に取り付けられている。この状態において、前面枠１００が閉められたとき、取込装置３００の回収通路３２２の出口が回収樋９４１の入口上に位置した状態となる。
【０１５６】
図５２〜図５６には上記遊技装置１によって行なわれる各種ゲーム状態のながれの図を示す。それらのうち、図５２は通常ゲームの流れの図、図５３はビッグチャンスのゲームの流れの図、図５４はレギュラーボーナスのゲームの流れの図、図５５は小役の集中のゲームの流れの図、図５６は小役の集中の流れの図である。
【０１５７】
遊技装置１によって行なわれ得るゲーム状態としては、通常のゲーム、ビッグチャンスのゲーム、レギュラーボーナスのゲーム、小役の集中のゲーム、小役の集中の集中のゲーム等がある。
前記通常のゲームは通常時に行なわれるゲームで、この通常のゲーム時には、例えば、図５２に示すながれに沿ったゲームが行なわれる。
即ち、この通常のゲーム時には外れ以外に小役が生ずる可能性がある。
【０１５８】
前記ビッグチャンスのゲームは可変表示ゲームの結果としてビッグチャンスを発生させる表示態様が成立したときに遊技者に賞球獲得の大きなチャンスを与えるために行なわれるゲームで、例えば、図５３に示す流れに沿ったゲームが行なわれる。
即ち、このビッグチャンスのゲーム時には、通常ゲーム時に比べて小役発生の確率がアップされるとともに、ボーナスゲーム発生の可能性が生ずる。
【０１５９】
このビッグチャンスのゲーム中、ボーナスゲームは複数回（この実施の形態の場合、３回）生ずる可能性がある。そして、ボーナスゲームが発生したときには、該ボーナスゲーム１回につき、一定回数（例えば、１２ゲーム）個別ゲームが行われる。ただし、この一定回数の範囲内に、所定回数（例えば、６回）当りが発生すれば、その時点で、該ボーナスゲームは終了する。
そして、このビッグチャンスのゲームは、このゲームが発生したときから一定回数（例えば、３０回）のゲームが行なわれた時点で、完了されて通常ゲームに戻される。
【０１６０】
前記レギュラーボーナスのゲームは可変表示ゲームの結果としてレギュラーボーナスを発生させる表示態様が成立したときに遊技者に前記小役のときよりは多く前記ビッグチャンスのときよりは少ない利益を与えるために行なわれるゲームで、例えば、図５４に示す流れに沿ったゲームが行なわれる。
即ち、このレギュラーボーナスのゲーム時には、前記通常ゲーム時と同様の確率で小役発生の可能性がある他、１回のボーナスゲーム発生のチャンスが与えられる。
このレギュラーボーナスのゲームときに発生されるボーナスゲームの内容は、例えば、前記ビッグチャンスのゲーム中に発生されるボーナスゲームの内容と同様とする。
そして、その発生したボーナスゲームが終了した時点で、そのレギュラーボーナスのゲームが完了して前記通常ゲームの状態に戻される。
【０１６１】
前記小役の集中のゲームは可変表示ゲームの結果とは無関係に、ランダムの周期で、前記小役が集中して発生し得るチャンスを与えるために行なわれるゲームで、例えば、図５５に示す流れに沿ったゲームが行なわれる。
即ち、この小役の集中のゲーム時には、その小役の集中が発生した時点から所定回数（例えば、６０回）のゲーム期間にわたって、小役発生の確率を通常時よりもアップ（例えば、０．７５にアップ）させて１回の小役発生につき例えば平均４０個払い出しさせるように小役が発生される。ただし、この小役の集中は再度の小役の集中の発生によって、その継続中の小役の集中はパンクしてその新たに発生した小役の集中にとって代わられる。
【０１６２】
この小役の集中中においてはビッグチャンスの発生は保留される。即ち、この小役の集中中にビッグチャンス発生の乱数を拾ったときには、そのビッグチャンス発生の時期はそのまま保留されて、その小役の集中の終了後に発生されることとなる。
前記小役の集中中のゲームは可変表示ゲームの結果とは無関係に、ランダムな周期で、前記小役の集中が集中して発生し得るチャンスを与えるために行なわれるゲームで、例えば、図５６に示す流れに沿ったゲームが行なわれる。
即ち、この小役の集中の集中のゲーム時には、その小役の集中の集中が発生した時点から、小役の集中の終了後、例えば、２／３の確率で再度小役の集中を発生させ得るゲーム状態となる。
この小役の集中時においても、前記小役の集中時におけると同様、ビッグチャンスが保留される。
【０１６３】
図５７〜図６２には前記可変表示ドラム装置６００の各可変表示ドラム６６７，６７７，６８７のリール部６６７ａ，６７７，６８７ａの外周面に表示された、可変表示ゲーム用の各種表示図柄の例を示す。それらのうち、図５７はリール部６６７ａの第１番目から第１０番目までの表示図柄、図５８はリール部６６７ａの第１１番目から第２１番目までの表示図柄、図５９はリール部６７７ａの第１番目から第１０番目までの表示図柄、図６０はリール部６７７ａの第１１番目から第２１番目までの表示図柄、図６１はリール部６８７ａの第１番目から第１０番目までの表示図柄、図６２はリール部６８７ａの第１１番目から第２１番目までの表示図柄をそれぞれ示す図である。
【０１６４】
各可変表示ドラム６６７，６７７，６８７のリール部６６７ａ，６７７ａ，６８７ａの外周面は等角度ピッチで例えば、「２１」の表示領域に分割されていて、それらリール部６６７ａ，６７７，６８７ａごとの各表示領域に、図５７〜図６２に（１）〜（２１）の番号を付けて示すように各種表示がそれぞれ異なった順序でなされている。
この実施の形態の場合、表示の種類としては、“鶴の絵の表示”、“寿の文字が書かれた鶴の絵の表示”、“亀の絵の表示”、“寿の文字が書かれた亀の絵の表示”、“富士山の絵の表示”、“寿の文字が書かれた富士山の絵の表示”“俵の絵の表示”、“寿の文字が書かれた俵の絵の表示”、“鼓の絵の表示”、“寿の文字が書かれた鼓の絵”の表示、“７の数字の表示”、“かぶとの絵の表示”等を用いている。が、その種類は限定せず、如何なる種類の表示にしてもよい。
【０１６５】
前記ビッグチャンス、レギュラーボーナスおよび小役を発生させる各種表示の組合せは例えば次のようになっている。
即ち、ビッグチャンスは“７”、“７”、“７”の３つの数字が揃ったとき（１）に発生し、レギュラーボーナスは“かぶとの絵”が３つ揃う（２）か又は“富士山の絵”が３つ揃った（３）ときに発生する。そして、ビッグチャンスのときの賞球数の総計は、例えば、最高１８００個で、該ビッグチャンスのボーナスゲーム時における個別ゲームの１回“当り”ごとの賞球数は７５個である。レギュラーボーナスのときの賞球数の総計は、例えば、最高４５０個で、該ビッグチャンスのボーナスゲーム時における個別ゲームの１回“当り”ごとの賞球数は７５個である。
【０１６６】
小役は“俵の絵”が３つ揃ったとき（４）、“亀の絵”が３つ揃ったとき（５）、左と中の表示が“亀の絵”で右の表示が“かぶとの絵”のとき（６）、“鶴の絵”が３つ揃ったとき（７）、左と中の表示が“鶴の絵”で右の表示が“かぶとの絵”のとき（８）、“鼓の絵”が３つ揃ったとき（９）、左と中の表示が“鼓の絵”の表示であるとき（１０）、左と中の表示が“かぶとの絵”の表示であるとき（１１）、左の表示が“鼓の絵”の表示であるとき（１２）等に発生する。そして、（４）〜（６）の小役のときの賞球数は、例えば７５個、（７）又は（８）の小役のときの賞球数は、例えば５０個、（９）又は（８）の小役のときの賞球数は、例えば、４０個、（１１）の小役のときの賞球数は、例えば２５個、（１２）の小役のときの賞球数は、例えば１０個である。
【０１６７】
図６３には前記電源装置３７０の正面図を示す。
電源装置３７０の前面側にはキースイッチ３７６、セットスイッチ３７７及び電源スイッチ３７８等が設けられている。
このゲーム装置１におけるビッグチャンスの発生確率は例えば６段階に切換可能となっていて、その機械的確率設定方式としては、後に、図６４に基づいて説明するように、それらキースイッチ３７６、セットスイッチ３７７および電源スイッチ３７８を用いて行なわれるようになっている。
【０１６８】
図６４にはその機械的確率設定の手順を示す。
この機械的確率設定方式の場合、遊技装置１の電源投入時には、ビッグチャンス発生の設定確率が無操作で自動的に第４段階に設定されるようになっている。ビッグチャンスの発生確率の機械的設定を行なうには、先ず、電源スイッチ３７８を押圧してオフにしてから、キースイッチ３７６にキー（図示省略）を差し込んで回動操作してオンにし、その後、再び電源スイッチ３７８を押圧してオンに戻す。
そして、その後、セットスイッチ３７７を押圧操作することによって、６段階のうちのいずれかの段階に切り換える。その切り換えられた段階は遊技装置１前面の液晶テレビ装置７００に表示される。セットスイッチは１回の押圧操作ごとに１段階ずつ変化し、第６段階目の後には再び第１段階目に戻るというような循環切換え方式になっている。
【０１６９】
その６段階のいずれかにセットした後、キースイッチ３７６を操作してオフ状態に戻せば、その段階へのセットが完了する。
そして、その後、更にスタートスイッチ９２（図４２）を１回オンさせれば、液晶テレビ装置７００の前記設定の段階表示が消灯されて、ビッグチャンスの設定確率の表示は見えなくなる。
【０１７０】
ビッグチャンスの発生確率の設定は中央管理装置２０００（後述）からの指令による自動確率設定方式（後で詳しく述べる）によっても行われる。
この自動確率設定方式の場合においても、遊技装置１の電源投入時には、ビッグチャンス発生の設定確率が無操作で自動的に第４段階に設定されるようになっている。
その電源投入時後のビッグチャンス発生確率の設定操作としては、中央管理装置２０００のテンキー操作等によって遊技装置１の台ナンバーとビッグチャンス発生確率の設定値をインプットすることにより、簡単にその発生確率の設定変更ができるようになっている（後述）。
また、遊技装置１の台単位、ホール全体の割数を設定すれば遊技装置１の営業状態を自動分析し、全遊技装置１に明日の営業のための設定変更が自動的に行なえる（後述）。
【０１７１】
図６５には遊技店（ホール）内の島設備１０００に設置された多数の遊技装置１等の管理制御を行なう中央管理装置２０００の全体斜視図を示す。
この中央管理装置２０００の卓２５００上には、キースイッチ２０１１や各種操作キーを有するキーボード２０１０、遊技装置１等に関する各種データを表示する表示装置２０２０、およびそれら各種データの集計結果等をプリントするプリンタ２０３０等が載置されている。また、その下側には遊技装置１等に関する各種データを記憶する記憶装置２２０４やプリントされた各種データ等を収納する収納箱２０８０が載置されている。
【０１７２】
図６６には、前記キーボード２０１０の操作キー２１００の種類を拡大して示す。
操作キー２１００の種類としては、同図に示すように、開店キー２１１１、閉店キー２１１２、システム終了キー２１１３、表示メニューキー２２２１、印字メニューキー２２２２、日時設定キー２２２３、ＣＲＴクリアキー２２４、打止解除キー２２３１、強制終了キー２２３２、終了解除キー２２３３、スペアキー２２３４、確率設定キー２２４１、台番号設定キー２２４２、確率設定終了キー２２４３、自動確率設定キー２２４４、テンキー２２５０等がある。そして、キーボード２０１０内にはキー操作時に音を発生するブザー２２６０が設置されている。
ここで、上記のように概略構成された中央管理装置２０００による確率設定方法の例について説明しておく。
先ず、キーボード２０１０のキースイッチ２０１１に専用キー（図示省略）を差し込んで回転させることにより、電源をオン状態にしてから、確率設定キー２２４１を押圧操作して確率設定スイッチをオンにすれば、表示装置２０２０の画面に“確率設定の変更をします。台番号設定スイッチを押してください。”の表示がなされる。
【０１７３】
この表示の指示に従って、台番号設定キー２２４２を押圧操作して台番号設定スイッチをオンにすると、表示装置２０２０の画面の表示が“キーボードにより台番号を入力してください”の表示に変換される。
この表示の指示に従って、キーボード２０１０を操作して台番号（例えば、「１１２」）を入力すれば、表示装置２０２０の表示が、今度は、“１１２番台の確率設定を変更します。キーボードにより確率設定の変更値を入力してください。”の表示に変換される。
この表示に従って、キーボード２０１０を操作して設定確率の変更値（例えば、６）を入力すれば、表示装置２０２０の表示が、今度は、“確率設定値を“６”に変更します。ＯＫであれば、確率設定終了スイッチをオンにしてください。”の表示に変換される。
この表示に従って、確率設定終了キー２２４３を押して確率設定終了スイッチをオンにすれば、表示装置２０２０の表示が、“確率設定終了値の変更が終了しました。”の表示に変換される。
そして、確率設定変更が終了される。
【０１７４】
その他、中央管理装置２０００によって次のような自動確率設定も可能である。
自動確率設定を行ないたいときは、先ず、キーボード２０１０のキースイッチ２０１１に専用キーを差し込んで回動操作してオン状態にする。
そして、次に、自動確率設定キー２２４４を押圧操作して自動確率設定スイッチをオンにすれば、中央管理装置２０００により確率設定の自動処理（図６７、図６８）が行なわれる。
この自動確率設定は、通常、閉店後に行なわれる。
【０１７５】
図６７には、中央管理装置２０００によって行なわれるビッグチャンス発生確率の自動設定その１の制御処理手順を示す。
この自動設定のその１は、遊技装置１ごとに、設定確率に基づいたビッグチャンスの発生確率の算出値Ａ，Ｂを実際に発生したビッグチャンスの回数（以下、実際値という。）と比較して修正する設定の仕方である。
営業中は、遊技者の利益を害さないように、この自動設定によるビッグチャンス発生確率の設定変更を禁止するため、その設定変更の時刻制限を設けたり、遊技装置１の電源オフ時にのみその設定変更ができるようにしたり、或いは、遊技装置１の電源のオフによって設定が完了するようにしたりする。設定中は設定値が液晶テレビ装置７００に表示されるようにする。
【０１７６】
この処理で用いる実際値Ｘはその日に実際に発生したビッグチャンスの回数で、設定算出値Ａ，Ｂはそれぞれ設定確率Ｐを基に次の数式１、数式２から算出したビッグチャンスの発生回数の設定値である。
【０１７７】
【数１】
0003606369.tif 000002
【０１７８】
【数２】
0003606369.tif 000003
ここに、ｎ＝通常ゲーム回数、ｐ＝設定確率である。
【０１７９】
また、設定値に対するビッグチャンス、レギュラーボーナスおよび小役集中の発生確率は、例えば、表１のようになっている。
【０１８０】
【表１】
0003606369.tif 000004
【０１８１】
この自動確率設定その１の制御処理手順の具体例としては、ステップＳ２で営業が終了したことを確認してから、次のステップＳ４でその日に実際に発生したビッグチャンスの回数、即ち、実際値Ｘをチェックし、しかる後、ステップＳ６〜Ｓ１８の設定変更の有・無の処理に移行する。
設定変更の有・無の処理としては、先ず、ステップＳ６で実際値Ｘが設定算出値Ａより大であるか否かを判定する。
その結果、大であると判定したときには、ステップＳ１０で偶数と奇数が同数ずつ含まれている乱数のうちの１つをランダムに拾ってステップＳ１２に移行する。そして、該ステップＳ１２でその拾った乱数が偶数であるか否かを判定し、偶数であればステップＳ１４に移行して設定値を１段階ダウンさせる処理を行ない、偶数でなければ、ステップＳ２２に移行して変更無しの処理を行なう。このように、実際値Ｘが設定算出値Ａより大であっても必ずしも設定値をダウンさせないようにしたのは、ビッグチャンスの発生回数が多かった台もある程度そのまま残して遊技者に多くの利益獲得のチャンスを与えてゲームに対する興趣を失わせないようにするためである。
【０１８２】
が、前記ステップＳ６で実際値Ｘが設定算出値より大でないと判定したときには、ステップＳ８に移行して実際値Ｘが設定算出値Ｂより小であるか否かを判定する。
その結果、小であると判定したときには、ステップＳ１６で偶数と奇数が同数ずつ含まれている乱数のうちの１つをランダムに拾ってステップＳ１８に移行する。そして、該ステップＳ１８でその拾った乱数が偶数であるか否かを判定し、偶数であればステップＳ２０に移行して設定値を１段階アップさせる処理を行ない、偶数でなければ、ステップＳ２２に移行して変更なしの処理を行なう。このように、実際値Ｘが設定算出値Ｂより小であっても必ずしも設定値をアップさせないようにしたのは、上記処理Ｓ１０，Ｓ１２，Ｓ２２でビッグチャンスの発生回数が多かった台もある程度残したことに対応させて遊技者と遊技店との利益バランスを図るためである。
【０１８３】
図６８には、中央管理装置２０００によって行なわれるビッグチャンス発生確率の設定その２の制御処理手順を示す。
ビッグチャンスの発生確率設定その２の制御処理手順の具体例としては、例えば、６段階の設定値“１”〜“６”ごとに遊技装置１全台に対する分布割合を、例えば、表２に示すような割合でテーブルＩにセットしておき、そのテーブルＩの分布割合になるようにランダムに台ナンバーを振り分ける設定の仕方である。このテーブルＩの分布割合は売上テーブルＩＩに入っている１日当たりの全台トータルの売上の過去のデータ（表３）、及び開店時のモードや通常時のモードとして設定されている割数（表４）を分析して、設定確率の良い台の割合を増減変更するようにする。前記割数は、１日当たりの払出数を１日当たりの投入数で割った値である。また、前記売上テーブルＩＩの過去のデータの平均値は、新たな営業データを追加していって適宜書き換えるようにしている。
【０１８４】
【表２】
0003606369.tif 000005
【０１８５】
【表３】
0003606369.tif 000006
【０１８６】
【表４】
0003606369.tif 000007
【０１８７】
この自動確率設定その２の制御処理手順としては、ステップＳ３０で営業が終了したことを確認してから、次のステップＳ３２で遊技装置１全台の売上げと割数を集計し、次のステップＳ３４でその集計値を売上げデータバンクに入れる。そして、その後、ステップＳ３６，Ｓ３８，Ｓ４２で各種判定を行ない、その判定結果に応じて、テーブルＩＩの分布割合になるようにランダムに台ナンバーを振り分けて遊技装置１の各台に設定値を指示する処理（ステップＳ４０）、或いはその分布割合を変更させた状態で遊技装置１全台に振り分ける処理（ステップＳ４４，Ｓ４６）を行なうようになっている。
即ち、先ず、ステップＳ３６で、遊技装置１全台の売上げ球数が所定数以上であったか否かを判定し、所定数以上であったと判定したときにはステップＳ３８に移行し、所定数以上でなかったと判定したときにはステップＳ４２に移行する。
【０１８８】
その結果、ステップＳ３８に移行したときには、該ステップＳ３８で遊技装置１全台のトータル割数が所定数以下であるか否かを判定する。そして、その結果、所定数以下であると判定したときには、ステップＳ４０でテーブルＩの割合になるようにランダムに台ナンバーを振り分けて各台に設定値を指示してからステップＳ４８に移行して各台の設定変更を行なう。が、所定数以下でないと判定したときには、ステップＳ４２に移行する。
前記ステップＳ３６又はＳ３８からステップＳ４２に移行したときには、該ステップＳ４２で稼動率が悪かったか否かを判定する。その結果、悪かったと判定したときにはステップＳ４４でテーブルＩの分布割合ｅ，ｆをアップするように振り分けて各台に設定値を指示し、しかる後、ステップＳ４８に移行して各台の設定変更を行なう。が、悪くなかったと判定したときには、ステップＳ４４でテーブルＩの分布割合ｅ，ｆをダウンするように振り分けて各台に設定値を指示し、しかる後、ステップＳ４８に移行して各台の設定変更を行なう。
【０１８９】
図６９には、上記遊技装置１の制御を行なう制御システムの制御ブロック図を示す。
メイン制御装置２５０は遊技装置１の制御システム全体を支配し、ゲームの制御を行なうようになっている。
このメイン制御装置２５０には、球の取込みとスイッチ類の信号に基づく制御を行なう取込とスイッチ類の制御装置９２０、球の取込みや排出の制御を単独で行なう賞球排出制御装置４７０、前面枠１００に取り付けられた液晶テレビ装置７００の図柄表示パターン等を管理する液晶パネル制御基盤７５０および外部電源（例えば、ＡＣ２４Ｖ）等が接続されている。そして、前記取込とスイッチ類の制御装置９２０および賞球排出制御装置４７０は前記メイン制御装置２５０の支配下に置かれ、前記液晶テレビ制御装置７００は前記メイン制御装置２５０の制御を受けるようになっている。
【０１９０】
また、前記外部接続端子基盤４０６は外部電源（例えば、ＡＣ２４Ｖ）から電気の供給を受け、電源装置３７０を介して前記各制御装置２５０，４７０，７５０，９２０に分配するようになっている。また、前記メイン制御装置２５０は前記外部接続端子基盤４０６に接続される配線コードを介して中央管理装置２０００と交信するようになっている。
この実施の形態の場合、前記取込とスイッチ類の制御装置９２０はメイン制御装置２５０との間の通信手段として、光ケーブルを用いて光通信を行なうようになっており、前記賞球排出制御装置４７０とメイン制御装置２５０とはＲＳ２３２Ｃを介して通信を行なうようになっている。また、前記液晶パネル制御基盤７５０とメイン制御装置２５０とはＩ／Ｏポートを利用して更新するようになっている。
【０１９１】
図７０には上記メイン制御装置２５０および賞球排出制御装置４７０によって行われる遊技装置１のクレジットシステムの制御ブロック図を示す。
この制御システムを構成する監視手段（定量判定手段としての機能も有する。）３３００（後述するマイクロコンピュータ４７１）には、外部設定スイッチ３２５０（例えば、オート／マニュアル切換スイッチ装置２８）によって所定のクレジット数（例えば、２５０個）が設定される設定クレジット数記憶手段３４３０（後述するマイクロコンピュータ２５１）上皿用球不足検出器３３４０（図示は省略したが、例えば、球導入樋３２０の上流側に設置されている。）、メインタンク用球不足検出器３３５０（図示は省略したが、例えば、メインタンク４１０の下流側に設置されている。）、球回収装置３５００（取込装置３３０および切換装置３５０）を駆動制御する駆動制御手段３３１０（後述するマイクロコンピュータ４７１）、賞球回収装置３６００，３６００（賞球排出装置４５３，４５３および切換装置４５５を含む。）を駆動制御する駆動制御手段３３２０，３３３０、およびクレジットカウンタ３４００が接続されている。そして、そのクレジットカウンタ３４００には取込カウンタ３４０の検出に基づいてその取込球の計数を行う第１の計数手段３４１０（後述するマイクロコンピュータ４７１）、賞球排出カウンタ４５２ａ，４５２ａの検出に基づいて賞球排出数を計数する第２の計数手段３４２０（後述するマイクロコンピュータ４７１）、および取込スイッチ（４２，４３，４４）からの信号に基づきその指定された賭球数をクレジットカウンタ３４００から減算する減算手段３４４０（マイクロコンピュータ４７１）が接続されている。
【０１９２】
この制御システムは上記のように構成されていて、次のようにしてクレジット数の設定変更がなされるとともに、その設定したクレジット数にクレジットの球数が保たれるようになっている。
即ち、外部設定スイッチ３２５０（例えば、オート／マニュアル切換スイッチ装置２８（図１））の操作によりオート状態に設定されると、設定クレジット数記憶手段３４３０（後述するマイクロコンピュータ２５１）の設定クレジット数が所定個数（例えば、２５０個）にセットされる。そして、球回収装置３５００（取込装置３３０および切換装置３５０）が作動して供給皿７０１中の球が予め遊技装置１の内部に取り込まれて島設備の回収路（図示省略）に回収され、その回収球の数が取込カウンタ３４０によって検出されて第１の計数手段３４１０（後述するマイクロコンピュータ４７１）により計数される。そして、その計数値がクレジットカウンタ３４００に入力される。
【０１９３】
この計数値が監視手段３３００（後述するマイクロコンピュータ４７１）に入力されて設定クレジット数記憶手段３４３０（後述するマイクロコンピュータ４７１）の設定クレジット数（例えば、２５０個）と比較される。そして、その計数値がその設定クレジット数に達した時点で賞球排出制御手段３３１０（後述するマイクロコンピュータ４７１）に送られ球回収装置３５００が停止される。その計数値は、クレジット数として、駆動制御手段３４４０によりクレジット数表示装置７７０に表示される。
【０１９４】
この状態でゲームが行われて取込スイッチ（４２，４３，４４）の操作により賭け球の設定がなされると、その設定値信号が減算手段３４４０を介してクレジットカウンタ３４００に入力され、その設定値がクレジットカウンタ３４００（後述するマイクロコンピュータ４７１）のクレジット数から減じられる。そして、その減じられた後のクレジット数が駆動制御手段３４４０によりクレジット数表示装置７７０に表示される。
そして、その減少した、クレジットカウンタ３４００のクレジット数が監視手段３３００により監視されていて、ゲームの開始毎に、賞球排出制御手段３３１０により球回収装置３５００が作動されてその減少した分の球がクレジットカウンタ３４００のクレジット中に補われる。
【０１９５】
また、各ゲームの結果として、賞球排出が行われるときには、その排出球が賞球排出カウンタ４５２ａ（ＳＷ１），４５２ａ（ＳＷ２）に検出されて第２の計数手段３４２０（後述するマイクロコンピュータ４７１）により計数される。そして、その計数値がクレジットカウンタ３４００のクレジット数に加算され、そのクレジット数が設定クレジット数（例えば、２５０個）に達した後の余りの賞球が賞球排出装置４５３，４５３の駆動により供給皿７０１又は下皿８０中に実球で支払われる。
ただし、供給皿７０１の下流側又は球導入樋５００に設置された上皿用球不足検出器３３４０により予め取込むべき球が無い状態（球無し状態）が検出されているときは、その球無し信号が監視手段３３００に送られて球回収装置３５００による球の回収は行われない。
【０１９６】
このように、予め取込むべき球があることを条件に、クレジット中の球数が設定クレジットの数になるように常に補給されるので、賭け球の取込操作時からゲームの開始操作が可能となるまでの時間を可及的に短くでき、かつ、供給皿７０１中の球の量を軽減し得る遊技装置を提供することができる。また、そのクレジット数がクレジット数表示装置７７０に表示されるので、遊技者はそのクレジット数を簡単に視認することができる。
【０１９７】
図７１には、メイン制御装置２５０によるクレジットの補給制御処理の手順を示す。
このクレジットの補給制御処理は、供給皿７０１中に取り込むべき球があることを条件に、クレジット中の球数が設定クレジットの数になるように常に補給される処理として行われる。
この処理が開始されると、先ず、ステップＳ１０００でオート／マニュアル切換スイッチ２８がオン（オートが選択された状態）となっているか否かを判定する。
その結果、オン（オートが選択された状態）となっていると判定したときには、ステップＳ１００２でクレジットカウンタ３４００のクレジット数が「２５０」以上になっているか否かを判定する。
【０１９８】
そして、その結果、そのクレジット数が「２５０」以上になっていると判定したときにはステップＳ１０００に戻る。が、「２５０」以上になっていないと判定したときには、ステップＳ１００４に移行する。
ステップＳ１００４では上皿用球不足検出器３３４０（図７０）がオン（球有り状態）となっているか否かを判定する。その結果、オン（球有り状態）となっていなければステップＳ１０００に戻る。が、オン（球有り状態）となっていればステップＳ１００６で取込ソレノイド３３１をオン（ＯＮ）にし次のステップＳ１０１０で取込カウンタ３４０をオン（ＯＮ）にしてからステップＳ１０１０に移行する。
【０１９９】
ステップＳ１０１０ではクレジットカウンタ３４００が「２５０」になったか否かをカウントし、「２５０」になっていないと判定したときにはそのままステップＳ１０００に戻り、「２５０」になったと判定したときにはステップＳ１０１２で取込ソレノイド３３１をオフ（ＯＦＦ）にしてからステップＳ１０００に戻る。
【０２００】
図７２には、メイン制御装置２５０によって行われるオートのときの球の取込みのタイミングチャートを示す。
ゲームの開始で、上皿７０１中に球が供給されてオート／マニュアル切換スイッチ（２８）がオン（ＯＮ）されたときには、取込カウンタ３４０がオン（ＯＮ）となった後一定時間（例えば、５０ｍ秒）経過してから取込ソレノイド３３１がオン（ＯＮ）にされてクレジット中への球の取込みが開始される。
この球の取込み数はクレジットカウンタに入力されてクレジット数として記憶される。
【０２０１】
そして、そのクレジット数が所定個数（例えば、「２５０」個）に達したときには、取込ソレノイド３３１がオフ（ＯＦＦ）に戻されてクレジット中の球の取込みが終了される。が、クレジット数が所定個数（例えば、「２５０」個）に達していないときであっても、取込カウンタ３４０がオフ（ＯＦＦ）となって所定時間（例えば、２秒）経過したときには、上皿７０１中に取込むべき球が無いとみなしてクレジット中への球の取込みが終了される。
【０２０２】
図７３には賞球排出制御装置４７０によって行われる球抜き制御処理のタイミングチャートを示す。
同図に示すように、球抜きスイッチ８２５のオン（ＯＮ）信号の立上がりのタイミングで賞球排出ソレノイド４５３ａ，４５３ａおよび切換ソレノイド（球抜きソレノイド）４５５ａがオン（ＯＮ）となって球抜きが開始される。
そして、賞球排出カウンタ４５２ａがオフ（ＯＦＦ）となってから、所定時間（ｔ）が経過した時点で、賞球排出ソレノイド４５３ａおよび切換ソレノイド（球抜きソレノイド）４５５ａがオフ（ＯＦＦ）となる。前記所定時間（ｔ）は球抜きの球が無くなったとみなされるのに十分な時間として定められる。
そして、その後、切換ソレノイド４５５ａが複数回オン（ＯＮ）、オフ（ＯＦＦ）動作を繰り返すことによって、賞球排出樋４５１中の球を確実に抜く。
【０２０３】
図７４には賞球排出制御装置４７０によって行われる所定個数（例えば、７５個）ずつの賞球排出を行う制御処理のタイミングチャートを示す。
この実施の形態で、多量に賞球排出を行う場合には、所定個数（例えば、７５個）を単位として賞球排出を行い、その後に所定個数に満たない残りの分の排出を行うようになっている。
即ち、賞球排出信号を受けたときに、賞球排出ソレノイド４５３ａがオン（ＯＮ）となって賞球の排出が開始される。そして、その排出個数が賞球排出カウンタ４５２ａにより所定個数（例えば、７５個）検出された時点で賞球排出ソレノイド４５３ａが停止される。
【０２０４】
しかる後、所定時間経過してから、同様に所定個数（例えば、７５個）の賞球排出を行う。
このように、所定時間の間隔をおきながら、所定個数（例えば、７５個）ずつの賞球排出を行い、最後に残りの賞球排出を行うことによって、賞球排出の正確さと円滑化を図っている。
この実施の形態では、１回に排出される賞球の個数を「７５」個とし、１回の賞の最高排出個数に一致させて、信号処理の容易化を図っている。
【０２０５】
図７５には、取込とスイッチ類の制御装置９２０によって行われる、遊技装置１の前記各種スイッチ（ＳＷ１〜ＳＷ９）信号による各種表示ランプ（Ｌ１〜Ｌ２４）の点灯および点滅の制御ブロック図を示す。
同図に示すように、取込スイッチＳＷ１（２４）、スタートスイッチＳＷ２（９２）、ストップスイッチＳＷ３（４２），ＳＷ４（４３），ＳＷ５（４４）、オート／マニュアル切換スイッチＳＷ６（２８）、精算／完了スイッチＳＷ７（２９）、リセットスイッチＳＷ８（錠１４５）、球抜きスイッチＳＷ９（３７）および前面枠スイッチＳＷ１０（３４）等からの電気的信号がローパスフィルタ１５０１、入力バッファ１５０２および多重回路１５００を経て光変換器１５０３に入り、該光変換器１５０３で光信号に変換してメイン制御装置２５０に送信されるようになっている。
【０２０６】
そして、その送信された信号に基づいて、メイン制御装置２５０から制御信号が光信号として光変換器１５０３に送られる。
その光変換器１５０３に送られた光信号（制御信号）が該光変換器１５０３で電気的信号（制御信号）に変換され、多重回路１５００を介して出力ラッチ１５０４に送られる。そして、その出力ラッチ１５０４にその制御信号が一時的にラッチされ、その制御信号に基づき、ドライバ１５０５により、大役物発生表示部２０中のランプ（Ｌ１〜Ｌ３）、ビッグチャンス表示部１０ｅ中のランプ（Ｌ４）、スコア表示部１０ｆ中のランプ（Ｌ５）、賭数表示部１１ｃ，１１ｂ，１１ｄ，１１ａ，１１ｅ中のランプ（Ｌ６，Ｌ７，Ｌ８）、ボーナスゲーム表示部１０ｒ中のランプ（Ｌ９）、ストップ表示部１０ｇ〜１０ｉ中のランプ（Ｌ１０〜Ｌ１２）、取込ボタン２４中のランプ（Ｌ１３）、スタートボタン９４中のランプ（Ｌ１４）、取込球不足ランプ２７（Ｌ１５）等が、また、ドライバ１５０６により各ドラムユニット６６０，６７０，６８０の可変表示部ランプ６６４ａ〜６６４ｃ（Ｌ１６〜Ｌ１８），６７４ａ〜６７４ｃ（Ｌ１９〜Ｌ２１），６８４ａ〜６８４ｃ（Ｌ２２〜Ｌ２４）等が点灯又は点滅されるようになっている。
【０２０７】
図７６には賭け球の取込や賞球排出の制御を行なう賞球排出制御装置４７０の制御システムのブロック図を示す。
賞球排出制御装置４７０は例えばコンピュータシステムによって構成されている。
【０２０８】
このコンピュータシステムを構成するマイクロコンピュータ（ＭＰＵ）４７１は内部に読出し専用メモリたるＲＯＭ４７１ａ、読出しと書込みが可能なメモリたるＲＡＭ４７１ｂ等を有している。これらメモリのうちのＲＯＭ４７１ａには、マイクロコンピュータ４７１の出力側に接続された、球の取込みや賞球排出に関与する各種作動部（Ｍ１，Ｍ２，ＳＯＬ１〜５）を作動させるための固定制御データプログラムが書き込まれている。一方、ＲＡＭ４７１ｂには、マイクロコンピュータ４７１の入力側に接続された各種検出器（ＳＷ２１〜ＳＷ２６）からの検出信号等が一時的に記憶されるようになっている。
【０２０９】
このマイクロコンピュータ４７１には停電時に備えて記憶を保持する不揮発性メモリ４７２が接続されている他、インタフェース４７３を介して前記メイン制御装置２５０に接続されて相互に信号のやり取りが行なわれるようになっている。
このマイクロコンピュータ４７１の入力側には、ローパスフィルタ４７４および入力バッファ４７５を介して賞球排出カウンタ４５２ａ（ＳＷ２１），４５２ａ（ＳＷ２２）、オーバーフロースイッチＳＷ２３（図示は省略したが、導出樋５００の上流側に設置されている。）、取込カウンタ３４０（ＳＷ２４）、球抜きスイッチ８２５（ＳＷ２５）および前面枠開閉検出器３４（ＳＷ２６）が接続されている。
【０２１０】
一方、このマイクロコンピュータ４７１の出力側には、球ナラシモータ４２６（Ｍ１），４３６（Ｍ２）、賞球排出ソレノイド４５３ａ（ＳＯＬ１），４５３ａ（ＳＯＬ２）、取込ソレノイド３３１（ＳＯＬ３）、切換ソレノイド３５１（ＳＯＬ４）、切換ソレノイド４５５ａ（ＳＯＬ５）が接続されている。
賞球排出制御装置４７０の制御システムは上記のように構成されていて、マイクロコンピュータ４７１に入力される前記各種検出器（ＳＷ２１〜ＳＷ２６）からの検出信号等に基づき、マイクロコンピュータ４７１からの指令により、マイクロコンピュータ４７１の出力側に接続された各種モータＭ１，Ｍ２およびソレノイドＳＯＬ１〜５の作動制御が行なわれるようになっている。
【０２１１】
そして、前記マイクロコンピュータ４７１は、少なくとも、外部設定スイッチ３２５０によって設定された設定クレジット数を記憶する設定クレジット数記憶手段３４３０、球回収装置（例えば、取込装置３３０と切換装置３５０とによって構成されている。）によって回収された（取り込まれた）球を検出する取込カウンタ３４０の検出に基づいて、その回収された球の数を計数する第１の計数手段３４１０、賞球排出カウンタ４５２ａ（ＳＷ１），４５２ａ（ＳＷ２）によって検出された回収球の数を計数する第２の計数手段３４２０、これら計数手段３４１０，３４２０によって計数された球の数をクレジット数として記憶するクレジットカウンタ３４００と、取込スイッチ２４（ＳＷ１）の操作に基づいて可変表示ゲームに賭けられた球の数を前記クレジットカウンタ３４００に記憶されたクレジット数から減少させる減算手段３４４０、前記クレジットカウンタ３４００に記憶されているクレジット数が定量（例えば、２５０個）に達しているか否かを判定する定量判定手段を含む監視手段３３００、および前記クレジットカウンタ３４００に記憶されたクレジット数をクレジット表示装置７７０に表示させる駆動制御手段３４４０を備えている。そして、前記監視手段３３００は前記クレジット数が定量に達していないと判定したときに前記球回収装置３５００を球回収状態に作動させる一方、前記クレジット数が定量（例えば、２５０個）に達していると判定したときに前記球回収装置３５００による球の回収を停止させる信号を前記駆動制御手段３３１０に送るプログラムデータを備えている。
また、このマイクロコンピュータ４７１はインタフェース４７３を介してメイン制御装置２００との間で通信のやり取りを行なうようになっている。
【０２１２】
図７７には、液晶パネル制御基盤７５０、賞球排出制御装置４７０および可変表示ドラム装置６００等の制御支配を行うメイン制御装置２５０の制御ブロック図を示す。
メイン制御装置２５０は例えばコンピュータシステム２５０Ａによって構成されている。
【０２１３】
このコンピュータシステム２５０Ａを構成するマイクロコンピュータ２５１は読出し専用メモリたる外部ＲＯＭ２５１ｂ、読出しと書込みが可能なメモリたる内部ＲＡＭ２５１ａ、カレンダー２５１ｃ等を有している。
これらメモリのうちのＲＯＭ２５１ｂには、可変表示ドラム６６７，６７７，６８７を動かすパルスモータ６６３，６７３，６８３、取込とスイッチ類の制御装置９２０、賞球排出制御装置４７０、液晶パネル制御基盤７５０およびスピーカ２６０等の制御するための固定制御データプログラムが書き込まれている。一方、ＲＡＭ２５１ａにはマイクロコンピュータ２５１に入力される各種信号等を一時的に記憶する記憶領域等が設けられている。
【０２１４】
このマイクロコンピュータ２５１はバックアップ電源２５１ｄを介して電源２５１ｅが接続されている。
このマイクロコンピュータ２５１の入力側にはローパスフィルタ２５２ａおよび入力バッファ２５２ｂを介して可変表示ドラム６６７，６７７，６８７の回転角度位置検出器６６８（ＳＷ３０）、６７８（ＳＷ３１）、６８８（ＳＷ３２）が接続されている。
【０２１５】
一方、その出力側にはサウンドジェネレータ２５２ｃと音声合成回路２５２ｄおよびアンプ２５２ｅを介してスピーカ２６０が接続されるとともに、ドライバ２５２ｆを介してパルスモータ６６３（Ｍ１０）、６７３（Ｍ１１）、６８３（Ｍ１２）が接続されている。
また、このマイクロコンピュータ２５１には、多重回路２５２ｇおよび光変換器２５２ｈを介して取込とスイッチ類の制御装置９２０が、また、インターフェイス２５２ｉを介して賞球排出制御装置４７０がそれぞれ接続されている。また、このマイクロコンピュータ２５１には、液晶パネル制御基盤７５０、およびブレーカーを有する外部接続端子基盤４０６が接続されている。
【０２１６】
メイン制御装置２５０の制御システムは上記のように構成されていて、マイクロコンピュータ２５１により、可変表示ドラム６６７，６７７，６８７の回転角度位置を検出する回転角度位置検出器６６８（ＳＷ３０）、６７８（ＳＷ３１）、６８８（ＳＷ３２）からの検出信号を基に、パルスモータ６６３（Ｍ１０）、６７３（Ｍ１１）、６８３（Ｍ１２）の回転制御を行ったり、スピーカ２６０から音声を発生させたりする。また、このマイクロコンピュータ２５１は取込とスイッチ類の制御装置９２０、賞球排出制御装置４７０および液晶パネル制御基盤７５０と通信しながらその制御を支配したり、外部接続端子４０６を介して球補給スイッチＳＷ４１，ＳＷ４２からの信号を受けて球補給を行ったりする。
【０２１７】
図７８には、液晶テレビ装置７００の制御を行う液晶パネル制御基盤７５０の制御ブロック図を示す。
液晶パネル制御基盤７５０は例えばコンピュータシステム７５０Ａによって構成されている。
このコンピュータシステム７５０Ａを構成するマイクロコンピュータ（表示制御用のＣＰＵ）７５５はフォントＲＯＭ（ＲＯＭ）７５５ａおよびＶ−ＲＡＭ７７５ｂ等を有している。
これらメモリのうちのフォントＲＯＭ７５５ａには実際に液晶テレビに映し出される各種図柄データや文字データなどが格納されている。
【０２１８】
一方、Ｖ−ＲＡＭ７５５ｂはマイクロコンピュータ７５５の制御の下で前記フォントＲＯＭ７５５ａ中のデータを液晶テレビに映し出す作業等を行なう。
そして、前記Ｖ−ＲＡＭ７５５ｂにＣＲＴコントローラ７５５ｃおよびドライバー７５５ｄを介して液晶パネル制御基盤７５０の前面の液晶表示部７５５ｅが接続されている。
液晶パネル制御基盤７５０は上記のように構成されていて、マイクロコンピュータ７５５により、フォントＲＯＭ７５５ａ中のデータを基に、Ｖ−ＲＡＭ７５５ｂ、ＣＲＴコントローラ７５５ｃおよびドライバー７５５ｄを介して液晶表示部７５５ｅに各種表示がなされる。
このマイクロコンピュータ７５１はメイン制御装置２５０と通信を行っていて、メイン制御装置２５０の支配を受ける。
【０２１９】
図７９には外部電源（ＡＣ２４Ｖ）からの電気を遊技装置１の各部に供給する配電ブロック図を示す。
同図に示すように、外部電源（ＡＣ２４Ｖ）が外部接続端子基盤４０６に接続され、その外部接続端子基盤４０６に電源装置３７０およびインバータ３７０ａが並列に接続されている。そして、その電源装置３７０を介して遊技装置１の各部にＡＣ２４Ｖの電気が供給されるとともに、インバータ３７０ａを介して遊技装置１の蛍光灯に電気が供給されている。
【０２２０】
図８０には、メイン制御装置２５０によって行われるメイン制御処理の前半部分手順を、図８１にはその後半部分の手順を示す。
このメイン制御処理としては、賭け球取込処理、可変表示ドラムの回転制御処理、ボーナスゲームへの移行処理、小役集中への移行処理、可変表示ドラムの停止制御処理、役確定分の払出し処理等が行われる。
このメイン制御処理が開始されると、まずステップＳ１００でイニシャル処理を行ってから、ステップＳ１０２，Ｓ１０４で順に賭け球取込処理、分岐処理を行う。
そして、その分岐処理のとき、ステップＳ１００Ａでスタートスイッチ２３がオン（ＯＮ）されると、ステップＳ１０６で可変表示ドラム６６７，６７７，６８７の回転制御を行ってから次のステップＳ１０８に移行する。
ステップＳ１０８ではボーナスゲーム中であるか否かを判定する。その結果、ボーナスゲーム中でないと判定したときには、ステップＳ１１０でボーナス判定処理をしてからステップＳ１１４に移行する。が、ボーナスゲーム中であると判定したときには、ステップＳ１１２で設定値内（ボーナス）の小役確率利用の処理を行って、ステップＳ１３０（図８１）に移行する。
【０２２１】
ステップＳ１１４ではステップＳ１１０におけるボーナス判定処理の結果として合格（ボーナスゲームが発生）したか否かを判定し、合格（ボーナスゲームが発生）しなかったと判定したときにはステップＳ１１６（図８１）に移行し、合格（ボーナスゲームが発生）したと判定したときにはステップＳ１１８でボーナスフラグ成立の処理を行ってからステップＳ１３６（図８１）に移行する。
ステップＳ１１６（図８１）では小役の集中役のゲーム中であるか否かを判定し、小役の集中役のゲーム中でないと判定したときにはステップＳ１２２に移行する。
【０２２２】
ステップＳ１２０では小役の集中役のゲームが終了したか否かを判定し、終了したと判定したときにはステップＳ１２４に移行し、終了していないと判定したときにはステップＳ１２８で設定値内（小役集中）の小役確率利用の処理を行ってからステップＳ１３０に移行する。
ステップＳ１２２では小役集中役の設定値を消化したか否かを判定し、消化していないと判定したときにはステップＳ１２６で設定値内（通常）の小役確率利用の処理をしてからステップＳ１３０に移行し、消化したと判定したときにはステップＳ１２４に移行する。
ステップＳ１２４では小役集中役の判定の結果が合格であったか否かを判定し、合格でなかったと判定したときにはステップＳ１２６で設定値内（通常）の小役確率の利用処理を行なってステップＳ１３０に移行するが、合格したと判定したときにはステップＳ１２８で設定値内（小役集中）の小役確率利用の処理を行ってからステップＳ１３０に移行する。
【０２２３】
ステップＳ１３０では小役判定の結果が合格であるか（小役が発生したか）否かを判定し、合格しなかったと判定したときにはステップＳ１３２でボーナスフラグ、小役フラグの不成立処理を行ってからステップＳ１３６に移行し、合格したと判定したときにはステップＳ１３４で小役フラグの成立処理を行ってからステップＳ１３６に移行する。
ステップＳ１３６では可変表示ドラム６６７，６７７，６８７の可変表示タイマがタイムアップしたか否かを判定し、タイムアップしていないと判定したときにはステップＳ１３８に移行し、タイムアップしたと判定したときにはステップＳ１４０で可変表示ドラム６６７，６７７，６８７の停止制御を行ってステップＳ１４２に移行する。
ステップＳ１３８ではストップスイッチ（４２），（４３），（４４）がオンしたか否かを判定し、オンしないと判定したときにはステップＳ１３６に戻り、オンしたと判定したときにはステップＳ１４０で可変表示ドラム６６７，６７７，６８７の停止処理を行ってステップＳ１４２に移行する。
ステップＳ１４２では役が確定したか否かを判定し、役が確定していないと判定したときにはそのままステップＳ１０２（図８１）に戻るが、役が確定したときにはステップＳ１４４でその役の確定分に対して球の払い出し処理を行ってからステップＳ１０２（図８１）に戻る。
【０２２４】
図８２には図８０のステップＳ１０２における賭け球の取込処理の詳しい制御処理手順の前半部分を示し、図８３にはその後半部分を示す。
【０２２５】
図８２および図８３の賭け球の取込処理はオートとマニュアルの各状態に応じて賭け球の取込を行う処理で、この賭け球の取込処理が開始されると、まず、ステップＳ１５０でオート／マニュアル切換スイッチ（２８）がオートになっているか否かを判定する。
その結果、オートになっていないと判定したときには、ステップＳ１５２〜Ｓ１５６で「５個」、「１０個」、「１５個」のうちのいずれの取込信号があったか否かを判定し、その取込信号の種類に応じて図８３のステップＳ１７８〜Ｓ１８２の対応するステップに移行して５個ゲーム、１０個ゲーム又は１５個ゲームのいずれかのイニシァル処理を行って図８０のステップＳ１００Ａに移行する。が、いずれの取込信号もなかったときにはステップＳ１５２に戻る。
【０２２６】
一方、上記ステップＳ１５０でオート／マニュアル切換スイッチ（２８）がオートであると判定したときには、ステップＳ１５８に移行して賞球排出完了フラグＦｇが「１」になる（賞球排出が終了する）のを待ってから、ステップＳ１６０〜Ｓ１６４で取込スイッチ（２４）が１〜３回のうち何回オン（ＯＮ）したかを判定しそのオン（ＯＮ）した回数に対応したステップ（Ｓ１６６，Ｓ１７０，Ｓ１７４）に移行する。即ち、１回オン（ＯＮ）したときにはステップＳ１６６に、２回オン（ＯＮ）したときにはステップＳ１７０に、３回オンしたときにはステップＳ１７４にそれぞれ移行する。が、それ以外のときにはステップＳ１５８に戻る。
その結果、ステップＳ１６６に移行したときには、該ステップＳ１６６で「クレジットカウンタ−５」が「０」以上になっているか否かを判定し、「０」以上になっていると判定したときにはステップＳ１６８で「クレジットカウンタ−５」をクレジットカウンタにセットしてから図８２のステップＳ１７８に移行する。が「０」以上になっていないと判定したときにはステップＳ１５８に戻る。
【０２２７】
ステップＳ１７０に移行したときには、該ステップＳ１７０で「クレジットカウンタ−１０」が「０」以上になっているか否かを判定し、「０」以上になっていると判定したときには「クレジットカウンタ−１０」をクレジットカウンタにセットしてから図８３のステップＳ１８０に移行する。が、「０」以上になっていないと判定したときにはステップＳ１５８に戻る。
ステップＳ１７４に移行したときには、該ステップＳ１７４で「クレジットカウンタ−１５」が「０」以上になっているか否かを判定し、「０」以上になっていると判定したときにはステップＳ１７６で「クレジットカウンタ−１５」をクレジットカウンタにセットしてから図８３のステップＳ１８２に移行する。が、「０」以上になっていないと判定したときにはステップＳ１５８に戻る。
【０２２８】
図８４は図８１のステップＳ１４４における球の払出し処理の詳しい制御処理手順を示す。
この球の払出し処理は役に応じた賞球を実球又はクレジットとして払出す処理で、この処理が開始されると、先ず、ステップＳ２００でオート／マニュアル切換えスイッチ（２８）がオート状態になっているか否かを判定する。
その結果、オート状態になっていないと判定したときには、ステップＳ２１０に移行して賞球排出数を賞球排出制御装置４７０に送信してから図８０のメイン処理のステップＳ１０２（図８０）に移行する。
【０２２９】
一方、オート状態になっていると判定したときには、ステップＳ２０２で賞球排出数をクレジット数に加算して、ステップＳ２０４に移行する。ステップＳ２０４では、クレジット数（例えば、２５０個）が満杯であるか否かを判定し、満杯でないと判定したときにはそのまま図８１のメイン処理のステップＳ１０２に移行する。が、満杯であると判定したときにはステップＳ２０６でクレジット数を超えた賞球数を排出数にセットし、次のステップＳ２０８でその排出数を排出制御装置４７０に送信してから図８１のメイン処理のステップＳ１０２に移行する。
【０２３０】
図８５〜図８９は賞球排出制御装置４７０によって行われる球の取込制御処理の手順を示す。それらのうち、図８５はマニュアルによる球の取込制御処理手順、図８６はオートのときの球の取込制御処理手順である。図８７はマニュアルによる「５個」取込みの制御処理手順、図８８はマニュアルによる「１０個」取込み制御処理手順、図８９はマニュアルによる「１５個」取込みの制御処理手順である。
この球の取込制御処理はマニュアル状態時の賭け球の取込処理とオート状態時の球の取込処理とに分けられる。
この取込み制御処理が開始されると、先ず、図８５のステップＳ３００でイニシァル処理を行ってからステップＳ３０２に移行する。そして、該ステップＳ３０２でオート／マニュアル切換スイッチ（２８）がオート状態になつているか否かを判定する。
その結果、オート状態になっていないと判定したときにはマニュアル処理をすべくステップＳ３０４に移行し、オート状態になっていると判定したときにはオート処理をすべくステップＳ３３０（図８６）に移行する。
【０２３１】
ステップＳ３０２でオート状態になっていないと判定されてステップＳ３０４に移行したときには、該ステップＳ３０４で排出完了フラグＦｇが「１」になっている（前の排出が完了している）か否かを判定し、「１」になっていなければステップＳ３０２に戻り、「１」になっていれば次のステップＳ３０６で取込カウンタ３４０がオン（ＯＮ）となるのを待ってから賭け球を実球で取込むべくステップＳ３０８に移行する。そして、ステップＳ３０８〜Ｓ３１２で取込スイッチ２４が１〜３回のうちの何回オン（ＯＮ）となったかを判定し、１回オンであるときには図８７の「５個取込み」の処理に、２回オンであるときには図８８の「１０個取込み」の処理に、３回オンであるときには図８９の「１５個取込み」の処理にそれぞれ移行するが、そのいずれでもないときにはステップＳ３０８に戻る。
【０２３２】
上記ステップＳ３０２でオート状態になっていると判定されて図８６のステップＳ３３０に移行したときには、該ステップＳ３３０でＲＡＭ４７１ｂ中のクレジット（貯留記憶）が満杯であるか否かを判定し、満杯でなければステップＳ３３２に移行し、満杯であれば図８５のステップＳ３０２に戻る。
ステップＳ３３２では、排出完了フラグＦｇが「１」になっている（賞球排出が終了している）か否かを判定し、「１」になっていない（賞球排出が終了していない）と判定したときには図８５のステップＳ３０２に戻り、「１」になっている（賞球排出が終了している）と判定したときにはステップＳ３３４〜Ｓ３３６で取込ソレノイド３３１のオン処理、取込カウンタ３４０のカウント処理を行ってからステップＳ３３８に移行する。
ステップＳ３３８ではクレジットカウントが「２５０」に達しているか否かを判定する。
【０２３３】
その結果、「２５０」に達していないと判定したときには、ステップＳ３４６で取込カウンタ３４０によるカウントをクレジットカウントとしてメイン制御装置２５０に送信して図８５のステップＳ３０２に戻る。
が、「２５０」に達していると判定したときには、ステップＳ３４０に移行して、該ステップＳ３３６で取込カウンタ３４０がオン（ＯＮ）となっているか否かを判定し、オン（ＯＮ）となっていないと判定した時点でステップＳ３４２に移行して取込ソレノイド３３１をオフ（ＯＦＦ）にし、次のステップＳ３４４でクレジットカウントを「２５０」としてメイン制御装置２５０に送信する。そして、その後、図８５のステップＳ３０２に戻る。
【０２３４】
上記ステップＳ３０８から図８７のステップＳ４００に移行したときには、該ステップＳ４００で取込ソレノイド３３１をオン（ＯＮ）にしてステップＳ４０２に移行する。そして、該ステップＳ４０２で取込カウンタ３４０（ＳＷ２４）のカウント値が「５」になるのを待ってから、ステップＳ４０４に移行してメイン制御装置２５０に５個取込みの完了信号を送り、次のステップＳ４０６で取込ソレノイド３３１をオフ（ＯＦＦ）にして、図８５のステップＳ３０４に戻る。
上記ステップＳ３１０から図８８のステップＳ４２０に移行したときには、該ステップＳ４２０で取込ソレノイド３３１をオン（ＯＮ）にしてステップＳ４２２に移行する。そして、該ステップＳ４２２で取込カウンタ６４（ＳＷ２４）のカウント値が「１０」になるのを待ってから、ステップＳ４２４に移行してメイン制御装置２５０に１０個取込みの完了信号を送り、次のステップＳ４２６で取込ソレノイド３４０をオフ（ＯＦＦ）にして、図８５のステップＳ３０４に戻る。上記ステップＳ３１２から図８９のステップＳ４４０に移行したときには、該ステップＳ４４０で取込ソレノイド３３１をオン（ＯＮ）にしてステップＳ４４２に移行する。そして、該ステップＳ４４２で取込カウンタ３４０（ＳＷ２４）のカウント値が「１５」になるのを待ってから、ステップＳ４４４に移行してメイン制御装置２５０に１５個取込みの完了信号を送り、次のステップＳ４４６で取込ソレノイド３４０をオフ（ＯＦＦ）にして、図８５のステップＳ３０４に戻る。
【０２３５】
図９０には賞球排出制御装置４７０によって行われる賞球排出制御処理の手順を示す。
この賞球排出制御処理は可変表示ゲームの結果として役が成立したときに賞球を排出する処理で、先ず、ステップＳ５００で排出信号を待ってから、ステップＳ５０２に移行する。そして、該ステップＳ５０２で排出数を読込み、次のステップＳ５０４でその排出数を排出カウンタのカウント値に加算してステップＳ５０６に移行する。次いで、該ステップＳ５０６で排出完了フラグＦｇ＝１の信号をメイン制御装置２５０に送る。この排出フラグＦｇ＝１の信号は次の賭け球の取込許可信号となる。
その後、ステップＳ５０８で排出条件がＯＫとなるのを待ってから、ステップＳ５１０に移行して賞球排出ソレノイド４５３ａ（ＳＯＬ１），４５３ａ（ＳＯＬ２）をオン（ＯＮ）にし、次のステップＳ５１２で賞球排出カウンタ４５２ａ（ＳＷ２１），４５２ａ（ＳＷ２２）によるカウントを行わせてステップＳ５１４に移行する。
【０２３６】
ステップＳ５１４では排出に異常があるか否かを判定し、異常がなければステップＳ５１６に移行して排出カウンタ４５２ａ（ＳＷ２１），４５２ａ（ＳＷ２２）によるカウント値が規定数（ステップＳ５０２で読み込んだ排出数）に達したか否かを判定する。その結果、達していなければ、ステップＳ５１０に戻る。が、達していれば、ステップＳ５１８で賞球排出ソレノイド４５３ａ（ＳＯＬ１），４５３ａ（ＳＯＬ２）をオフ（ＯＦＦ）にし、次のステップＳ５２０で排出数カウンタから排出数分を減算して、ステップＳ５００に戻る。
上記ステップＳ５１４で排出に異常があると判定したときには、ステップＳ５２２に移行して賞球排出ソレノイド４５３ａ（ＳＯＬ１），４５３ａ（ＳＯＬ２）をオフ（ＯＦＦ）にし、次のステップＳ５２４で排出完了フラグＦｇ＝０の信号をメイン制御装置２５０に送って、ステップＳ５１４に戻る。
【０２３７】
図９１、図９２および図９３には中央管理装置２０００の指令に基づいて行われる、遊技装置１の球抜き制御処理の手順を示す。それらのうち、図９１は中央管理装置２０００によって行なわれる球抜き処理の手順、図９２はメイン制御装置２５０によって行なわれる球抜き処理の手順、図９３は賞球排出制御装置４７０によって行なわれる球抜き処理の手順である。
この球抜き制御処理は中央管理装置２０００からの球抜き指令に基づいて該当遊技装置１の球抜きが行われる処理である。
【０２３８】
中央管理装置２０００の処理のステップＳ６１０において球抜き指令スイッチがオン（ＯＮ）されたと判定されたと判定すると、ステップＳ６１２に移行して該当遊技装置１のメイン制御装置２５０に球抜き指令信号を送信する。この送信処理は、ステップＳ６１４で該当遊技装置１のメイン制御装置２５０から返信信号が送られてきたと判定されるまで、ステップＳ６１２に戻って、継続して行われる。
【０２３９】
遊技装置１のメイン制御装置２５０側では、ステップＳ６２０において、中央管理装置２０００からの球抜き指令信号を受信したか否かの判定を行い、受信したと判定すると、ステップＳ６２２に移行して、球抜き指令信号を賞球排出制御装置４７０に送信する。そして、次のステップＳ６２４で賞球排出装置４７０からの返信を待ってから、ステップＳ６２６に移行して中央管理装置２０００に返信信号を送信する。
【０２４０】
賞球排出制御装置４７０側では、ステップＳ６３０で賞球排出中であるか否かを判定し、賞球排出中でなければ、ステップＳ６３２に移行する。そして、該ステップＳ６３２では、メイン制御装置２５０からの球抜き指令信号を受信したか否かを判定し、受信したと判定したときには、ステップＳ６３２でメイン制御装置２５０からの球抜き指令信号の受信確認信号をメイン制御装置２５０に返信する。その後、ステップＳ６３６に移行して球抜き処理を行う。
【０２４１】
この実施の形態に係る遊技装置１は、上記のように前面枠１００の前面側本体部分（前面枠本体１１０）を樹脂で構成し、該本体部分の裏側周囲を金属製の補強枠１３０（１３０Ｅ，１３０Ｆ，１３０Ｇ，１３０Ｋ，１３０Ｌ，１３０Ｎ等）で補強してあるので、加工性が良く、軽量化が図れ、しかも全体の強度が維持できる。
また、受皿８０を、前面枠１００を貫通して補強枠１３０に固定される取付支柱６０ａによって前面枠１００に取り付けているので、受皿８０の、前面枠１００に対する取付強度が十分に維持される。
【０２４２】
なお、上記実施の形態では、パチンコ球を用いたスロットマシンの如き遊技装置について説明したが、それだけに限定せず、パチンコ機、コインを用いたスロットマシン等、基枠（後壁板がある箱型の基枠、後壁板の無い基枠等も含む。）に前面枠が開閉自在に取り付けられた遊技装置はすべて含む。
また、前面枠本体１１０（前面枠１００の前面側本体部分）の裏側周囲を補強する補強枠の形状や構成は上記実施の形態のものに限定せず、設計変更自由である。
【０２４３】
また、前記下皿（受皿）８０の補強枠１３０に対する止着の仕方は、上記実施の形態のものに限定せず、どのように止着させてもよい。
また、補強枠１３０を、その一部が前面枠本体１１０を挟んだ上皿（受皿）７１０の真裏に位置するような形状にして、上皿（受皿）７１も補強枠１３０に取り付けるようにしてもよい。
【０２４４】
また、ゲームの流れや各種スイッチの操作時等を遊技者にわかり易くする表示として、例えば、次のような変形例が考えられる。
ストップボタン２２ａ，２２ｂ，２２ｃの押圧操作の有効時間を明瞭にする表示としては、ストップスイッチ有効表示ランプを各ストップボタン２２ａ，２２ｂ，２２ｃの周囲に配置してその有効時に点灯させるようにしても良いし、ストップボタン２２ａ，２２ｂ，２２ｃのボタンをその有効時に内部のランプを点灯させることによって発光させるようにしてもよい。
【０２４５】
オーバーフローや半端球が生じた時に賞球抜きスイッチ３３をその内部のランプを点灯させることによって発光させるようにしても良い。
リーチ時にビッグチャンス発生の期待を高めさせるために、残り１つのドラムの回転を遅くしても良い。
例えば、上皿７０１の一側に取込球不足ランプを設けておいて、取込球が不足したり無くなったりしたときにそれを点灯又は点滅させるようにしてもよい。
ビッグチャンスの進行中やシングルボーナスのときなどに現在の賞球数を液晶テレビ１４に表示させるようにしてもよい。
ゲームの完了時には、必要以外のランプ、例えば液晶テレビ装置７００以外のランプをすべて消灯させるようにしてもよい。
【０２４６】
（第２の実施の形態）
図９４および図９５にはこの発明の遊技装置１の第２の実施の形態を示す。それらのうち、図９４は遊技装置１の本体ケース１０００の背面側斜視図、図９５はその本体ケース１０００の開閉扉２０９Ａ，２０９Ｂが開放された状態を示す背面側斜視図である。
この実施の形態では、本体ケース１０００の背面部全体が開口した開口部２０９Ｈが設けられていて、その背面側開口部２０９Ｈに開閉部材２０９Ａ，２０９Ｂが観音開き形式に開閉可能に取り付けられている。そして、それら開閉部材２０９Ａ，２０９Ｂを開けて、遊技装置１の内部を点検できるようになっている。
【０２４７】
この本体ケース１０００以外は上記第１の実施の形態におけると同様の構成となっているので、その図示および説明は省略する。
また、この本体ケース１０００は、その背面部を除いて第１の実施の形態のものと同様の構成となっているので、その同じ構成部分については第１の実施の形態におけると同じ符号を付することにより、重複説明は避ける。
【０２４８】
この実施の形態に係る遊技装置１の本体ケース１０００について詳しく説明すると、図９５に示すように、その背面部に、その全体が開口した開口部２０９Ｈが設けられている。そして、その背面側開口部２０９Ｈには、背面板２０９を構成する左右一対の開閉部材２０９Ａ，２０９Ｂがヒンジ（図示省略）を介して観音開き形式に開閉可能に取り付けられている。これら開閉部材２０９Ａ，２０９Ｂには、開閉用の取っ手２０９ａ，２０９ａが取り付けられるとともに、遊技装置１内の、遊技および賞遊技媒体排出の制御に関与する各種電子部品等が発生する熱を外部に放熱させるための換気孔２０９ｂが形成されている。
そして、その一方の背面板２０９Ａの中央部には開口部が設けられ、該開口部に、遊技装置１の配線処理用接続基盤２０９Ｅが取り付けられている。もう一方の背面板２０９Ｂの上部には換気孔２０９ｃが設けられ、該換気孔２０９ｃに電動式換気扇２６５が取り付けられている。
【０２４９】
この実施の形態に係る遊技装置１の本体ケース１０００は、上記のように、背面部に開口部２０９Ｈが設けられ、該開口部２０９Ｈに開閉部材２０９Ａ，２０９Ｂが開閉可能に取り付けられているので、開閉部材２０９Ａ，２０９Ｂを開けて遊技装置１内部の点検をすることが可能となる。また、それら開閉部材２０９Ａ，２０９Ｂに換気孔２０９ｂ，２０９ｃが設けられているので、内部の電子部品等から発生される熱が、それら換気孔２０９ｂ，２０９ｃを介して逃がされる。また、換気孔２０９ｃには換気扇２６５が取り付けられているので、前記電子部品等から発生される熱が、その換気扇２６５により、強制的に逃がされる。
【０２５０】
なお、上記換気孔２０９ｂ，２０９ｃの位置および形等はその機能を考慮して自由に設計変更して差し支えない。
また、換気扇２６５や接続基盤２０９Ｅは必ずしも取り付ける必要はない。
また、前記本体ケース２００の背面側開口部の開閉手段は、上記観音開き形式の開閉部材２０９Ａ，２０９Ｂに限らず、どのような形式のものにしてもよい。また、本体ケースの背面部全体を開口させずに、一部を開口させて、その開口部に開閉手段を取り付けてもよい。
また、前記開閉部材２０９Ａ，２０９Ｂの開閉部に、これら開閉部材２０９Ａ，２０９Ｂを閉じた状態に係止させる係止手段（図示省略）を設けてもよい。
【０２５１】
（第３の実施の形態）
図９６および図９７にはこの発明の遊技装置１の第３の実施の形態を示す。それらのうち、図９６は遊技装置１の本体ケース２０００の背面側斜視図、図９７はその本体ケース２０００の開閉扉２０９Ｆ，２９０Ｇが開いた状態を示す背面側斜視図である。
この実施の形態では、本体ケース２０００の背面側の上部と下部が開口していて、それら開口部に、開閉扉２０９Ｆ，２０９Ｇが外側に倒れる向きに開く形式に開閉可能に取り付けられている。そして、それら開閉扉２０９Ｆ，２０９Ｇを開けて、遊技装置１の内部を点検したり、内部部品の設置や交換ができるようになっている。
【０２５２】
この本体ケース２０００以外は上記第１の実施の形態におけると同様の構成となっているので、その図示および説明は省略する。
また、この本体ケース２０００は、その背面部を除いて第１の実施の形態のものと同様の構成となっているので、その同じ構成部分については第１の実施の形態におけると同じ符号を付することにより、重複説明は避ける。
【０２５３】
この実施例に係る遊技装置１の本体ケース２０００について詳しく説明すると、図９６および図９７に示すように、その背面部の上段および下段部分が開口部２１００，２２００となっている。そして、その上段部および下段部分の開口部２１００，２２００に、背面板２０９を構成する開閉部材２０９Ｆ，２０９Ｇが外側に倒れる向きに開く形式に、ヒンジ（図示省略）を介して開閉可能に取り付けられている。これら開閉部材２０９Ｆ，２０９Ｇの左右両側縁寄り下部には、回動範囲規制部材２０９ａが取り付けられている。これら回動範囲規制部材２０９ａの円弧状孔２０９ｄが、本体ケース２０００の左右の側板２０７，２０８の内側に取り付けられたピン２０９ｃに外嵌されている。これら回動範囲規制部材２０９ａによって、前記開閉部材２０９Ｆ，２０９Ｇが本体ケース２０００の背面側開口部２１００，２２００を閉じた状態（図９６）から略９０゜回動して開いた状態（図９７）にまで回動可能となっている。
【０２５４】
また、これら開閉部材２０９Ｆ，２０９Ｇには、開閉用の取っ手２０９ａが取り付けられるとともに、遊技装置１内の、遊技および賞遊技媒体排出の制御に関与する各種電子部品等が発生する熱を外部に放熱させるための換気孔２０９ｂが形成されている。
そして、その一方の背面板２０９Ｆの片隅には、開口部が設けられ、該開口部に、遊技装置１の配線処理用接続基盤２０９Ｅが取り付けられている。また、この背面板２０９Ｆの上部中央には換気孔２０９ｃが設けられ、該換気孔２０９ｃに電動式換気扇２６５が取り付けられている。
【０２５５】
この実施の形態に係る遊技装置１の本体ケース２０００は、上記のように、背面側の上部と下部が開口し、それら開口部２１００，２２００に開閉部材２０９Ｆ，２０９Ｇが開閉可能に取り付けられているので、開閉部材２０９Ｆ，２０９Ｇを開けて遊技装置１内部の点検をしたり、内部部品の設置や交換等が可能である。また、それら開閉部材２０９Ｆ，２０９Ｇに換気孔２０９ｂ，２０９ｃが設けられているので、内部の電子部品等から発生される熱が、それら換気孔２０９ｂ，２０９ｃを介して逃がされる。また、換気孔２０９ｃには換気扇２６５が取り付けられているので、前記電子部品等から発生される熱が、その換気扇２６５により、強制的に逃がされる。
【０２５６】
なお、上記換気孔２０９ｂ，２０９ｃの位置および形等はその機能を考慮して自由に設計変更して差し支えない。
また、換気扇２６５や接続基盤２０９Ｅは必ずしも取り付ける必要はない。
また、前記本体ケース２００の背面側の上部と下部の開口部２１００，２２００の開閉手段は、どのような開閉形式のものを用いてもよい。
【０２５７】
また、本体ケース２０００の背面側は、上部と下部のみ開口させることに限定せず、何箇所開口させてもよい。
また、前記開閉部材２０９Ｆ，２０９Ｇの開閉部に、これら開閉部材２０９Ｆ，２０９Ｇを閉じた状態に係止させる係止手段（図示省略）を設けてもよい。
【０２５８】
【発明の効果】
本発明によれば、賞球排出ユニットは、貯留タンクからの遊技球を所定数排出する賞球排出装置と、賞球排出装置により排出された遊技球を賞球導出樋へ誘導するための賞球排出路と、賞球排出路と連通する流下制御樋と、を備え、賞球導出樋は、流下制御樋からの遊技球を受入れる遊技球流入口と、遊技球流入口から流入した遊技球を上皿に排出する上側排出口と、上側排出口から上皿に排出する遊技球が溢れた際に、該溢れた遊技球を下皿に排出する下側排出口と、を有し、流下制御樋には、当該流下制御樋の内部通路を開状態と閉状態とに変換させる通路開閉装置を設け、通路開閉装置は、流下制御樋の内部通路の前後壁部に形成されるスリット孔を横切る方向に進退自在に配設されるとともに、前後方向に略長方形状に形成された前半部に遊技球の流下用開口部を、後半部に閉塞板部を、それぞれ有する開閉部材と、開閉部材を流下制御樋の前方に付勢するスプリングと、を有し、賞球導出樋の遊技球流入口の上部に当接部を設け、本体ケースに対して前面枠が閉められた状態においては、当接部が開閉部材の先端部を押して後退させることにより、該開閉部材の流下用開口部が流下制御樋の内部通路中に至って、当該内部通路中の遊技球を流下可能にする一方、本体ケースに対して前面枠が開放された状態においては、スプリングの付勢力によって開閉部材が突出する方向に前進させられることにより、該開閉部材の閉塞板部が流下制御樋の内部通路中に至って、当該内部通路中の遊技球を流下させないようにするので、前面枠が開放されても遊技球がこぼれてしまうという事態を防止できる。
【図面の簡単な説明】
【図１】遊技装置の前面側全体斜視図である。
【図２】遊技装置の正面図である。
【図３】前面枠の背面側斜視図である。
【図４】前面枠の背面図である。
【図５】本体ケースの前面側斜視図である。
【図６】本体ケースの正面図である。
【図７】前面枠の分解斜視図である。
【図８】前面枠の第１の変形例を示す分解斜視図である。
【図９】前面枠の第２の変形例を示す分解斜視図である。
【図１０】前面枠の第３の変形例を示す前面枠上端部分の縦断側面図である。
【図１１】前面枠の第４の変形例を示す前面枠上端部分の縦断側面図である。
【図１２】補強枠から施錠装置等を取り外した状態を示す分解斜視図である。
【図１３】補強枠の分解斜視図である。
【図１４】本体ケースに対して前面枠を回動自在に支持する上側軸承部の部分斜視図である。
【図１５】本体ケースに対して前面枠を回動自在に支持する下側軸承部の部分斜視図である。
【図１６】可変表示ドラム装置等を取り外した状態の本体ケースの正面図である。
【図１７】本体ケースの背面図である。
【図１８】蓋体を取り外した球取込装置ユニットの背面側斜視図である。
【図１９】蓋体を取り外した球取込装置ユニットの背面図である。
【図２０】球取込装置ユニットの前側斜視図である。
【図２１】賞球排出系上半ユニットの全体斜視図である。
【図２２】賞球排出系上半ユニットの正面図である。
【図２３】賞球排出ユニットの分解斜視図
【図２４】賞球排出系上半ユニットの球流出側下端部の縦断側面図である。
【図２５】賞球導出樋の前面側斜視図である。
【図２６】回収樋の前面側斜視図である。
【図２７】本体ケース中に設置された賞球排出ユニット本体および回収樋と、前面枠の裏側に設置された賞球排出樋との関係を示すそれらの部分縦断側面図である。
【図２８】可変表示ドラム装置の斜視図である。
【図２９】ドラムユニットの分解斜視図である。
【図３０】前面枠の前面側斜視図である。
【図３１】表示パネル、大役物表示ランプカバーおよび装飾部材の斜視図である。
【図３２】ストップスイッチユニットの斜視図である。
【図３３】ストップスイッチユニットの分解斜視図である。
【図３４】ストップスイッチの分解斜視図である。
【図３５】前面枠の操作部にストップスイッチユニットを設置した状態を示す操作部の部分縦断側面図である。
【図３６】装飾カバーおよび上皿等の斜視図である。
【図３７】上皿が設置された前面枠の部分縦断側面図である。
【図３８】下皿および賞球排出枠の斜視図である。
【図３９】下皿が設置された前面枠の部分縦断側面図である。
【図４０】取込スイッチ等が設置された前面枠の部分縦断側面図である。
【図４１】スタートスイッチ装置の分解斜視図である。
【図４２】スタートスイッチ装置が設置された前面枠の部分縦断側面図である。
【図４３】前面枠本体の背面側斜視図である。
【図４４】液晶テレビ装置の分解斜視図である。
【図４５】賭数表示ユニットおよびクレジット数表示装置の分解斜視図である。
【図４６】球抜きスイッチ装置、取込スイッチ装置、精算／完了スイッチ装置およびオート／マニュアル切換スイッチ装置等の斜視図である。
【図４７】中継基盤、および取込とスイッチ類の制御装置等の斜視図である。
【図４８】導出樋および取込装置の背面側斜視図である。
【図４９】各種構成部品が設置された前面枠の縦断側側面図である。
【図５０】回収樋の前面側斜視図である。
【図５１】回収樋が設置された本体ケースの部分斜視図である。
【図５２】通常ゲームの流れを示すフローチャートである。
【図５３】ビッグチャンスのゲームの流れを示すフローチャートである。
【図５４】レギュラーボーナスのゲームの流れを示すフローチャートである。
【図５５】小役の集中のゲームの流れを示すフローチャートである。
【図５６】小役の集中の集中の流れを示すフローチャートである。
【図５７】左側可変表示ドラムのリール部に表示された第１番目から第１０番目までの表示図柄を示す図である。
【図５８】左側可変表示ドラムのリール部に表示された第１１番目から第２１番目までの表示図柄を示す図である。
【図５９】中央の可変表示ドラムのリール部の第１番目から第１０番目までの表示図柄を示す図である。
【図６０】中央の可変表示ドラムのリール部の第１１番目から第２１番目までの表示図柄を示す図である。
【図６１】右側可変表示ドラムのリール部に表示された第１番目から第１０番目までの表示図柄を示す図である。
【図６２】右側可変表示ドラムのリール部に表示された第１１番目から第２１番目までの表示図柄を示す図である。
【図６３】電源装置の正面図である。
【図６４】ビッグチャンス発生確率の機械的確率設定の手順を示すフローチャートである。
【図６５】中央管理装置の斜視図である。
【図６６】キーボードの平面図である。
【図６７】中央管理装置によって行われるビッグチャンス発生確率の自動設定その１の制御処理手順を示すフローチャートである。
【図６８】中央管理装置によって行われるビッグチャンス発生確率の自動設定その２の制御処理手順を示すフローチャートである。
【図６９】遊技装置の制御を行う制御システムの制御ブロック図である。
【図７０】メイン制御装置および賞球排出制御装置によって行われる遊技装置のクレジットシステムの制御ブロック図である。
【図７１】メイン制御装置によるクレジットの補給処理の手順を示すフローチャートである。
【図７２】メイン制御装置によって行われるオートのときの球の取込みのタイミングチャートである。
【図７３】賞球排出制御装置によって行なわれる球抜き制御処理のタイミングチャートである。
【図７４】賞球排出制御装置によって行なわれる所定個数（例えば、７５個）ずつの賞球排出を行う制御処理のタイミングチャートである。
【図７５】取込とスイッチ類の制御装置によって行われる、遊技装置の各種スイッチ信号による各種表示ランプ（Ｌ１〜Ｌ２４）の点灯および点滅の制御ブロック図である。
【図７６】賭数の取込や賞球排出の制御を行う賞球排出制御装置の制御システムのブロック図である。
【図７７】液晶パネル制御基盤、賞球排出制御装置および可変表示ドラム装置等の制御支配を行うメイン制御装置の制御ブロック図である。
【図７８】液晶テレビ装置の制御を行う液晶パネル制御基盤の制御ブロック図である。
【図７９】外部電源からの電気を遊技装置の各部に供給する配電ブロック図である。
【図８０】メイン制御装置によって行われるメイン制御処理の前半部分の手順を示すフローチャートである。
【図８１】メイン制御装置によって行われるメイン制御処理の後半部分の手順を示すフローチャートである。
【図８２】図８０のステップＳ１０２における賭け球の取込処理の詳しい制御処理手順の前半部分を示すフローチャートである。
【図８３】図８０のステップＳ１０２における賭け球の取込処理の詳しい制御処理手順の後半部分を示すフローチャートである。
【図８４】図８１のステップＳ１４４における球の払出し処理の詳しい制御処理手順の後半部分を示すフローチャートである。
【図８５】マニュアルによる球の取込制御処理の手順を示すフローチャートである。
【図８６】オートのときの球の取込処理の手順を示すフローチャートである。
【図８７】マニュアルによる「５個」取込みの制御処理手順を示すフローチャートである。
【図８８】マニュアルによる「１０個」取込みの制御処理手順を示すフローチャートである。
【図８９】マニュアルによる「１５個」取込みの制御処理手順を示すフローチャートである。
【図９０】賞球排出制御装置によって行われる賞球排出制御処理の手順を示すフローチャートである。
【図９１】中央管理装置によって行われる球抜き処理の手順を示すフローチャートである。
【図９２】メイン制御装置によって行われる球抜き処理の手順を示すフローチャートである。
【図９３】賞球排出制御装置によって行われる球抜き処理の手順を示すフローチャートである。
【図９４】第２の実施の形態に係る遊技装置の本体ケースの背面側斜視図である。
【図９５】同本体ケースの開閉扉が開放された状態を示す背面斜視図である。
【図９６】遊技装置の本体ケースの背面側斜視図である。
【図９７】同本体ケースの開閉扉が開いた状態を示す背面側斜視図である。
【符号の説明】
１        遊技装置
７１      上皿
８０      下皿
１００    前面枠
２００    本体ケース
４０７    流下制御樋
４０７ａ  スリット孔
４０８Ａ  通路開閉装置
４０８ｂ  閉塞板部
４０９ａ  スプリング
４１０    貯留タンク（メインタンク）
４５０    賞球排出ユニット
４５３    賞球排出装置
４５４ａ  賞球排出路
５００    賞球導出樋
５１０    当接部
５２１    遊技球流入口
５２２    上側排出口（上側流出口）
５２３    下側排出口（下側流出口）
【図１】
0003606369.tif 000008
【図２】
0003606369.tif 000009
【図３】
0003606369.tif 000010
【図４】
0003606369.tif 000011
【図５】
0003606369.tif 000012
【図６】
0003606369.tif 000013
【図７】
0003606369.tif 000014
【図８】
0003606369.tif 000015
【図９】
0003606369.tif 000016
【図１０】
0003606369.tif 000017
【図１１】
0003606369.tif 000018
【図１２】
0003606369.tif 000019
【図１３】
0003606369.tif 000020
【図１４】
0003606369.tif 000021
【図１５】
0003606369.tif 000022
【図１６】
0003606369.tif 000023
【図１７】
0003606369.tif 000024
【図１８】
0003606369.tif 000025
【図１９】
0003606369.tif 000026
【図２０】
0003606369.tif 000027
【図２１】
0003606369.tif 000028
【図２２】
0003606369.tif 000029
【図２３】
0003606369.tif 000030
【図２４】
0003606369.tif 000031
【図２５】
0003606369.tif 000032
【図２６】
0003606369.tif 000033
【図２７】
0003606369.tif 000034
【図２８】
0003606369.tif 000035
【図２９】
0003606369.tif 000036
【図３０】
0003606369.tif 000037
【図３１】
0003606369.tif 000038
【図３２】
0003606369.tif 000039
【図３３】
0003606369.tif 000040
【図３４】
0003606369.tif 000041
【図３５】
0003606369.tif 000042
【図３６】
0003606369.tif 000043
【図３７】
0003606369.tif 000044
【図３８】
0003606369.tif 000045
【図３９】
0003606369.tif 000046
【図４０】
0003606369.tif 000047
【図４１】
0003606369.tif 000048
【図４２】
0003606369.tif 000049
【図４３】
0003606369.tif 000050
【図４４】
0003606369.tif 000051
【図４５】
0003606369.tif 000052
【図４６】
0003606369.tif 000053
【図４７】
0003606369.tif 000054
【図４８】
0003606369.tif 000055
【図４９】
0003606369.tif 000056
【図５０】
0003606369.tif 000057
【図５１】
0003606369.tif 000058
【図５２】
0003606369.tif 000059
【図５３】
0003606369.tif 000060
【図５４】
0003606369.tif 000061
【図５５】
0003606369.tif 000062
【図５６】
0003606369.tif 000063
【図５７】
0003606369.tif 000064
【図５８】
0003606369.tif 000065
【図５９】
0003606369.tif 000066
【図６０】
0003606369.tif 000067
【図６１】
0003606369.tif 000068
【図６２】
0003606369.tif 000069
【図６３】
0003606369.tif 000070
【図６４】
0003606369.tif 000071
【図６５】
0003606369.tif 000072
【図６６】
0003606369.tif 000073
【図６７】
0003606369.tif 000074
【図６８】
0003606369.tif 000075
【図６９】
0003606369.tif 000076
【図７０】
0003606369.tif 000077
【図７１】
0003606369.tif 000078
【図７２】
0003606369.tif 000079
【図７３】
0003606369.tif 000080
【図７４】
0003606369.tif 000081
【図７５】
0003606369.tif 000082
【図７６】
0003606369.tif 000083
【図７７】
0003606369.tif 000084
【図７８】
0003606369.tif 000085
【図７９】
0003606369.tif 000086
【図８０】
0003606369.tif 000087
【図８１】
0003606369.tif 000088
【図８２】
0003606369.tif 000089
【図８３】
0003606369.tif 000090
【図８４】
0003606369.tif 000091
【図８５】
0003606369.tif 000092
【図８６】
0003606369.tif 000093
【図８７】
0003606369.tif 000094
【図８８】
0003606369.tif 000095
【図８９】
0003606369.tif 000096
【図９０】
0003606369.tif 000097
【図９１】
0003606369.tif 000098
【図９２】
0003606369.tif 000099
【図９３】
0003606369.tif 000100
【図９４】
0003606369.tif 000101
【図９５】
0003606369.tif 000102
【図９６】
0003606369.tif 000103
【図９７】
0003606369.tif 000104